(57)【要約】  本発明における信号処理回路は、グルーブトラックおよびランドトラックを有し、データが記録されるグルーブトラックにアドレス情報を表すウォブリングが形成されている光ディスクに対して、トラッキング制御を行う際の極性を決定するトラッキング極性決定部（１０１）を備え、トラッキング極性決定部（１０１）は、ウォブリングの形状に応じたウォブル信号を生成し、ウォブル信号の値が閾値を超えるか否かにより２値化ウォブル信号を生成する２値化ウォブル信号生成部（１０５）と、２値化ウォブル信号生成部（１０５）によって生成された２値化ウォブル信号の特徴量を測定する特徴量測定部（１０６）と、特徴量測定部（１０６）によって測定された２値化ウォブル信号の特徴量が、所定の特徴を有するか否かを判別する判別部（１０７）と、判別部（１０７）によって判別された結果によってその極性を決定する極性決定部（１０８）とを有する。
2010073450.tif 000002
【特許請求の範囲】
【請求項１】
グルーブトラックおよびランドトラックを有し、データが記録される前記グルーブトラックにアドレス情報を表すように周波数変調または位相変調されたウォブリングが形成されている光ディスクに対して、トラッキング制御を行う際の極性を決定するトラッキング極性決定部を備え、
前記トラッキング極性決定部は、
前記ウォブリングの形状に応じたウォブル信号を生成し、前記ウォブル信号の値が閾値を超えるか否かにより２値化ウォブル信号を生成する２値化ウォブル信号生成部と、
前記２値化ウォブル信号生成部によって生成された２値化ウォブル信号の特徴量を測定する特徴量測定部と、
前記特徴量測定部によって測定された前記２値化ウォブル信号の特徴量が、所定の特徴を有するか否かを判別する判別部と、
前記判別部によって判別された結果によって前記極性を決定する極性決定部とを有する
ことを特徴とする信号処理回路。
【請求項２】
前記特徴量測定部は、
前記２値化ウォブル信号の特徴量として、前記２値化ウォブル信号の周期を測定する
ことを特徴とする請求項１に記載の信号処理回路。
【請求項３】
前記特徴量測定部は、
前記２値化ウォブル信号の特徴量として、所定の周期における前記２値化ウォブル信号がハイレベルの値である時間および前記所定の周期における前記２値化ウォブル信号がローレベルの値である時間の比である前記２値化ウォブル信号のデューティを測定する
ことを特徴とする請求項１に記載の信号処理回路。
【請求項４】
前記特徴量測定部は、
前記２値化ウォブル信号の特徴量として、前記２値化ウォブル信号の所定時間内におけるハイレベルの値である時間の最長時間または最短時間を測定する
ことを特徴とする請求項１に記載の信号処理回路。
【請求項５】
前記特徴量測定部は、
前記２値化ウォブル信号の特徴量として、前記２値化ウォブル信号の所定時間内におけるローレベルの値である時間の最長時間または最短時間を測定する
ことを特徴とする請求項１に記載の信号処理回路。
【請求項６】
前記特徴量測定部は、
前記２値化ウォブル信号の特徴量として、所定時間内における前記２値化ウォブル信号がハイレベルの値になる時である立ち上がりの回数または所定時間内における前記２値化ウォブル信号がローレベルの値になる時である立ち下がりの回数を測定する
ことを特徴とする請求項１に記載の信号処理回路。
【請求項７】
グルーブトラックおよびランドトラックを有し、データが記録される前記グルーブトラックにデジタル情報を表すように周波数変調または位相変調されたウォブリングが形成されている光ディスクから、トラッキング制御を行うために必要な情報を読み出す光ピックアップ部と、
前記光ピックアップ部が読み出した情報から、トラッキング制御を行う際の極性を決定するトラッキング極性決定部と、
前記トラッキング極性決定部により決定されたトラッキング制御の極性で生成された制御信号により前記光ピックアップ部のトラッキング制御を行う駆動部とを備え、
前記トラッキング極性決定部は、
前記光ピックアップ部が読み出した情報から、前記ウォブリングの形状に応じたウォブル信号を生成し、前記ウォブル信号の値が閾値を超えるか否かにより２値化ウォブル信号を生成する２値化ウォブル信号生成部と、
前記２値化ウォブル信号生成部によって生成された２値化ウォブル信号の特徴量を測定する特徴量測定部と、
前記特徴量測定部によって測定された前記２値化ウォブル信号の特徴量が所定の特徴を有するか否かを判別する判別部と、
前記判別部によって判別された結果によって前記極性を決定する極性決定部とを有する
ことを特徴とする光ディスク再生装置。
【請求項８】
前記特徴量測定部は、
前記２値化ウォブル信号の特徴量として、前記２値化ウォブル信号の周期を測定する
ことを特徴とする請求項７に記載の光ディスク再生装置。
【請求項９】
前記特徴量測定部は、前記２値化ウォブル信号の特徴量として、所定の周期における前記２値化ウォブル信号がハイレベルの値である時間および前記所定の周期における前記２値化ウォブル信号がローレベルの値である時間の比である前記２値化ウォブル信号のデューティを測定する
ことを特徴とする請求項７に記載の光ディスク再生装置。
【請求項１０】
前記特徴量測定部は、
前記２値化ウォブル信号の特徴量として、前記値化ウォブル信号の所定時間内におけるハイレベルの値である時間の最長時間または最短時間を測定する
ことを特徴とする請求項７に記載の光ディスク再生装置。
【請求項１１】
前記特徴量測定部は、
前記２値化ウォブル信号の特徴量として、前記値化ウォブル信号の所定時間内におけるローレベルの値である時間の最長時間または最短時間を測定する
ことを特徴とする請求項７に記載の光ディスク再生装置。
【請求項１２】
前記特徴量測定部は、
前記２値化ウォブル信号の特徴量として、所定時間内における前記２値化ウォブル信号がハイレベルの値になる時である立ち上がりの回数または所定時間内における前記２値化ウォブル信号がローレベルの値になる時である立ち下がりの回数を測定する
ことを特徴とする請求項７に記載の光ディスク再生装置。
【請求項１３】
グルーブトラックおよびランドトラックを有し、データが記録される前記グルーブトラックにアドレス情報を表すように周波数変調または位相変調されたウォブリングが形成されている光ディスクに対して、トラッキング制御を行う際の極性を決定するトラッキング極性決定部の信号処理方法であって、
ウォブリングの形状に応じたウォブル信号を生成し、前記ウォブル信号の値が閾値を超えるか否かにより２値化ウォブル信号を生成する２値化ウォブル信号生成ステップと、
前記２値化ウォブル信号生成ステップにおいて生成された２値化ウォブル信号の特徴量を測定する特徴量測定ステップと、
前記特徴量測定ステップにおいて測定された前記２値化ウォブル信号の特徴量が、所定の特徴を有するか否かを判別する判別ステップと、
前記判別ステップにおいて判別された結果によって前記極性を決定する極性決定ステップとを有する
ことを特徴とする信号処理方法。
【発明の詳細な説明】
【技術分野】
【０００１】
本発明は、信号処理回路および光ディスク再生装置に関し、特に、光ディスクに記録された情報の再生を行う際のトラッキング制御極性を決定する信号処理回路および光ディスク再生装置に関するものである。
【背景技術】
【０００２】
ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｃ）と呼ばれる円盤状記録媒体は、ピットと呼ばれるくぼみ、または相変化膜の化学変化（以下、マークと称す。）を、内周から外周へ、スパイラル状に形成することにより情報を記録する。この円盤状記録媒体（以下、光ディスクと称す。）を使用する光ディスク再生装置は、光ディスクにレーザ光を照射し、反射したレーザ光の光量からピットまたはマークの有無を判断し、情報を再生する。【０００３】
このピットまたはマークを読み取るために光ディスク再生装置は、光ディスクを所定の回転数で回転させる回転制御と、レーザの焦点位置を光ディスクの記録面上にて制御するためのフォーカス制御と、スパイラル状に記録されたピットにレーザ光を正しく走査させるためのトラッキング制御とを行う。【０００４】
情報を示すマークまたはピットがスパイラル状に記録される光ディスクの記録方式としては、オングルーブ方式とイングルーブ方式との２通りの記録方式がある。【０００５】
図１４は、オングルーブ方式およびイングルーブ方式の特徴を説明するための図である。図１４の上の図は、オングルーブ方式の特徴を説明するための図であり、図１４の下の図は、イングルーブ方式の特徴を説明するための図である。【０００６】
オングルーブ方式とイングルーブ方式との両方式は、いずれも光ディスク上にスパイラル状に形成され、アドレス情報としてのウォブリングを有するグルーブ７０４に例えばピット７０５が形成されることにより情報（データ）が記録される。【０００７】
ここで、グルーブ７０４は、光ディスク上に形成されている溝であり、情報（データ）が記録される。グルーブ７０４は、通常は（オングルーブ方式では）、レーザ光の入射する方向（以下、光の入射面と記載。）から見て凸の溝である。ランド７０３は、グルーブ７０４とグルーブ７０４との間の領域である。また、ウォブリングとは、グルーブをある一定の振幅、空間周波数でうねらせるようにグルーブに形成されるうねり（蛇行）のことである。【０００８】
図１４に示すように、オングルーブ方式では、ピット７０５が形成されるグルーブ７０４が光の入射面に対して凸状となっているのに対し、イングルーブ方式ではピット７０５が形成されるグルーブ７０４が光の入射面に対して凹状になっている。このため、オングルーブ方式におけるグルーブ７０４上にトラッキング制御する場合と、イングルーブ方式におけるグルーブ７０４上にトラッキング制御する場合とでは、トラッキング制御を行うためのトラッキングエラー信号の極性が逆になる。【０００９】
図１５は、オングルーブ方式で記録されたディスクにおけるトラックの走査を説明するための図である。図１５では、光ディスクがオングルーブ方式で記録されている場合に、レーザ光のビームスポットがトラックを走査するときの様子を示している。ビームスポットＡはオングルーブ方式のトラッキング極性でトラッキング制御した場合のビームスポットを、ビームスポットＢはイングルーブ方式のトラッキング極性でトラッキング制御した場合のビームスポットを示す。【００１０】
図１５では、ビームスポットＡが、光の入射面に対して凸状となっているグルーブ７０４があるトラック上を走査した場合、グルーブ７０４にはピット７０５およびウォブリングが記録されているのでトラックのウォブリングおよび情報（データ）を正しく読み取ることができる。一方、ビームスポットＢが、ランド７０３があるトラックを走査した場合、ランド７０３にはピット７０５およびウォブリングが記録されていないのでトラックのウォブリングおよび情報（データ）を正しく取得することができない。【００１１】
反対に、イングルーブ方式で記録されたディスクでは、ビームスポットＡが光の入射面に対して凸状となっているランド７０３のあるトラック上を走査しても、ピット７０５およびウォブリングが記録されていないので、トラックのウォブリングおよび情報（データ）を正しく取得することができない。しかし、ビームスポットＢが光の入射面に対して凹状となっているグルーブ７０４のあるトラックを走査すると、グルーブ７０４にはピット７０５およびウォブリングが記録されているのでトラックのウォブリングおよび情報（データ）を正しく読み取ることができる。【００１２】
つまり、オングルーブ方式で記録されたディスクでは、制御極性をオングルーブ方式に合わせていた場合には、グルーブ７０４にはピット７０５が記録されているのでトラックのウォブリングおよび情報（データ）を正しく読み取ることができる。しかし、制御極性をイングルーブ方式に合わせていた場合には、そのトラックからトラックのウォブリングおよび情報（データ）を正しく取得することができない。【００１３】
そのため、光ディスクを再生する際に、その光ディスクがオングルーブ方式であるか、イングルーブ方式であるかを判別し、その光ディスクの方式に合わせた制御極性を選択する必要がある。【００１４】
ところで、これまで記録系光ディスクの主流であったＤＶＤ−ＲやＤＶＤ−ＲＷなどの光ディスクのメディアでは、規格においてオングルーブ方式で記録されることになっている。そのため、光ディスク再生装置としてはとくにトラッキング制御の極性を気にすることなくトラッキング制御を行うことが可能であった。【００１５】
しかし、近年、ＢＤ−ＲのＬＴＨ（ＬＯＷ  ＴＯ  ＨＩＧＨ）ディスクと呼ばれる低価格の記録系ディスクが開発されている。そして、今後市場に広く販売されていくと予想されている。このＢＤ−ＲのＬＴＨディスクは、規格によってイングルーブ方式によって記録されることになっており、ＬＴＨディスクではない他のＢＤ−Ｒディスクを再生するときのトラッキング制御の極性を反転して再生制御を行う必要がある。そのため、光ディスク再生装置がトラッキング制御の極性を間違えて再生を行う場合には、光ディスク再生装置は、マークの形成されていないトラック上にトラッキング制御を行うこととなり、所望の情報（データ）を再生することができない。【００１６】
それに対して、オングルーブ方式かイングルーブ方式かという記録方式の判別に関しての提案がある（例えば下記特許文献１）。以下、それについて説明する。【００１７】
図１６は、光ディスクの記録方式を判別する光ディスク再生装置の従来構成を示すブロック図である。【００１８】
図１６に示す光ディスク再生装置９００は、トラッキング極性決定部９０１と、光ディスク９０２と、光ピックアップ部９０３と、プッシュプル信号生成部９０４と、サーボフィルタ９０９と、駆動部９１１とを備える。また、トラッキング極性決定部９０１は、ウォブル信号生成部９０５と、振幅測定部９０６と、判定部９０７と、極性決定部９０８とを備える。【００１９】
この光ディスク再生装置９００では、光ディスク９０２におけるオングルーブ側およびイングルーブ側それぞれにトラッキングを引き込み、それぞれの２値化ウォブル信号の振幅を測定する。その測定結果から、より振幅が大きく取得できる側を正しいトラックとして判別することによりトラッキング極性決定を行う。
【先行技術文献】
【特許文献】
【００２０】
【特許文献１】国際公開第２００７／０４０１７３号
【発明の概要】
【発明が解決しようとする課題】
【００２１】
しかしながら、特許文献１において提案されている方法では、光ディスク再生装置に装着された光ディスクがイングルーブ方式およびオングルーブ方式のどちらで記録されているかを判別するために、オングルーブ側およびイングルーブ側のそれぞれにおいて２値化ウォブル信号の振幅情報を取得する。すなわち、イングルーブ方式およびオングルーブ方式のどちらで記録されているかを判別するために、２値化ウォブル信号の測定を計２回行う必要がある。さらに、この２回の測定の際に、例えばオングルーブ側からイングルーブ側へ移動するためには、トラッキング制御をいったん停止し、再度イングルーブ側へトラッキング制御の引き込みを行う時間が必要となる。つまり、判別に時間がかかってしまう。【００２２】
そこで、本発明は、上記課題を解決するためになされたもので、光ディスクの記録方式を判別する時間の短縮が可能な信号処理回路および光ディスク再生装置を提供することを目的とする。
【課題を解決するための手段】
【００２３】
上記目的を達成するために、本発明に係る信号処理回路は、グルーブトラックおよびランドトラックを有し、データが記録される前記グルーブトラックにアドレス情報を表すように周波数変調または位相変調されたウォブリングが形成されている光ディスクに対して、トラッキング制御を行う際の極性を決定するトラッキング極性決定部を備え、前記トラッキング極性決定部は、前記ウォブリングの形状に応じたウォブル信号を生成し、前記ウォブル信号の値が閾値を超えるか否かにより２値化ウォブル信号を生成する２値化ウォブル信号生成部と、前記２値化ウォブル信号生成部によって生成された２値化ウォブル信号の特徴量を測定する特徴量測定部と、前記特徴量測定部によって測定された前記２値化ウォブル信号の特徴量が、所定の特徴を有するか否かを判別する判別部と、前記判別部によって判別された結果によって前記極性を決定する極性決定部とを有することを特徴とする。【００２４】
これにより、トラックに対して２値化ウォブル信号の測定を１回行うだけで、測定した２値化ウォブル信号の特徴量から光ディスクの記録方式がオングルーブ方式かイングルーブ方式かを判別することができる。それにより、光ディスクの記録方式を判別する時間の短縮が可能な信号処理回路を実現することができる。【００２５】
また、好ましくは、前記特徴量測定部は、前記２値化ウォブル信号の特徴量として、前記２値化ウォブル信号の周期を測定することである。【００２６】
ここで、前記特徴量測定部は、前記２値化ウォブル信号の特徴量として、所定の周期における前記２値化ウォブル信号がハイレベルの値である時間および前記所定の周期における前記２値化ウォブル信号がローレベルの値である時間の比である前記２値化ウォブル信号のデューティを測定してもよい。【００２７】
また、前記特徴量測定部は、前記２値化ウォブル信号の特徴量として、前記２値化ウォブル信号の所定時間内におけるハイレベルの値である時間の最長時間または最短時間を測定してもよい。【００２８】
また、前記特徴量測定部は、前記２値化ウォブル信号の特徴量として、前記２値化ウォブル信号の所定時間内におけるローレベルの値である時間の最長時間または最短時間を測定してもよい。【００２９】
また、前記特徴量測定部は、前記２値化ウォブル信号の特徴量として、所定時間内における前記２値化ウォブル信号がハイレベルの値になる時である立ち上がりの回数または所定時間内における前記２値化ウォブル信号がローレベルの値になる時である立ち下がりの回数を測定してもよい。【００３０】
また、上記目的を達成するために、本発明に係る光ディスク再生装置は、グルーブトラックおよびランドトラックを有し、データが記録される前記グルーブトラックにデジタル情報を表すように周波数変調または位相変調されたウォブリングが形成されている光ディスクから、トラッキング制御を行うために必要な情報を読み出す光ピックアップ部と、前記光ピックアップ部が読み出した情報から、トラッキング制御を行う際の極性を決定するトラッキング極性決定部と前記トラッキング極性決定部により決定されたトラッキング制御の極性で生成された制御信号により前記光ピックアップ部のトラッキング制御を行う駆動部とを備え、前記トラッキング極性決定部は、前記光ピックアップ部が読み出した情報から、前記ウォブリングの形状に応じたウォブル信号を生成し、前記ウォブル信号の値が閾値を超えるか否かにより２値化ウォブル信号を生成する２値化ウォブル信号生成部と、前記２値化ウォブル信号生成部によって生成された２値化ウォブル信号の特徴量を測定する特徴量測定部と、前記特徴量測定部によって測定された前記２値化ウォブル信号の特徴量が所定の特徴を有するか否かを判別する判別部と、前記判別部によって判別された結果によって前記極性を決定する極性決定部とを有することを特徴とする。【００３１】
また、好ましくは、前記特徴量測定部は、前記２値化ウォブル信号の特徴量として、前記２値化ウォブル信号の周期を測定することである。【００３２】
ここで、前記特徴量測定部は、前記２値化ウォブル信号の特徴量として、所定の周期における前記２値化ウォブル信号がハイレベルの値である時間および前記所定の周期における前記２値化ウォブル信号がローレベルの値である時間の比である前記２値化ウォブル信号のデューティを測定してもよい。【００３３】
また、前記特徴量測定部は、前記２値化ウォブル信号の特徴量として、前記値化ウォブル信号の所定時間内におけるハイレベルの値である時間の最長時間または最短時間を測定してもよい。【００３４】
また、前記特徴量測定部は、前記２値化ウォブル信号の特徴量として、前記値化ウォブル信号の所定時間内におけるローレベルの値である時間の最長時間または最短時間を測定してもよい。【００３５】
また、前記特徴量測定部は、前記２値化ウォブル信号の特徴量として、所定時間内における前記２値化ウォブル信号がハイレベルの値になる時である立ち上がりの回数または所定時間内における前記２値化ウォブル信号がローレベルの値になる時である立ち下がりの回数を測定してもよい。【００３６】
なお、本発明は、装置として実現するだけでなく、このような装置が備える処理手段を備える集積回路として実現したり、その装置を構成する処理手段をステップとする方法として実現したりすることもできる。
【発明の効果】
【００３７】
本発明によれば、光ディスクの記録方式を判別する時間の短縮が可能な信号処理回路および光ディスク再生装置を実現することができる。【００３８】
具体的には、オングルーブ側、イングルーブ側のいずれかの一方の情報のみで記録方式の判別が実現でき、２値化ウォブル信号の測定を１回行うだけで極性を決定することができる。これにより、光ディスクがイングルーブ方式およびオングルーブ方式のどちらで記録されているかを判別する判別時間の短縮が可能となる。
【図面の簡単な説明】
【００３９】
【図１】図１は、本発明における光ディスクの記録方式を判別する光ディスク再生装置の構成を示すブロック図である。
【図２】図２は、本発明におけるトラッキング極性決定部の動作について説明するためのフローチャートである。
【図３】図３は、実施の形態１における光ディスクの記録方式を判別する光ディスク再生装置の構成を示すブロック図である。
【図４Ａ】図４Ａは、２値化ウォブル信号の特徴量が所定の特徴量を示しているかを判定する方法を説明するための図である。
【図４Ｂ】図４Ｂは、２値化ウォブル信号の特徴量が所定の特徴量を示しているかを判定する方法を説明するための図である。
【図５】図５は、実施の形態１におけるトラッキング極性決定部の動作について説明するためのフローチャートである。
【図６】図６は、実施の形態２における光ディスクの記録方式を判別する光ディスク再生装置の構成を示すブロック図である。
【図７Ａ】図７Ａは、２値化ウォブル信号の特徴量が所定の特徴量を示しているかを判定する方法を説明するための図である。
【図７Ｂ】図７Ｂは、２値化ウォブル信号の特徴量が所定の特徴量を示しているかを判定する方法を説明するための図である。
【図８】図８は、実施の形態２におけるトラッキング極性決定部の動作について説明するためのフローチャートである。
【図９】図９は、実施の形態３における光ディスクの記録方式を判別する光ディスク再生装置の構成を示すブロック図である。
【図１０Ａ】図１０Ａは、２値化ウォブル信号の特徴量が所定の特徴量を示しているかを判定する方法を説明するための図である。
【図１０Ｂ】図１０Ｂは、２値化ウォブル信号の特徴量が所定の特徴量を示しているかを判定する方法を説明するための図である。
【図１１】図１１は、実施の形態４における光ディスクの記録方式を判別する光ディスク再生装置の構成を示すブロック図である。
【図１２Ａ】図１２Ａは、２値化ウォブル信号の特徴量が所定の特徴量を示しているかを判定する方法を説明するための図である。
【図１２Ｂ】図１２Ｂは、２値化ウォブル信号の特徴量が所定の特徴量を示しているかを判定する方法を説明するための図である。
【図１３】図１３は、実施の形態５における光ディスクの記録方式を判別する光ディスク再生装置の構成を示すブロック図である。
【図１４】図１４は、オングルーブ方式およびイングルーブ方式の特徴を説明するための図である。
【図１５】図１５は、オングルーブ方式におけるトラックの走査を説明するための図である。
【図１６】図１６は、光ディスクの記録方式を判別する光ディスク再生装置の従来構成を示すブロック図である。
【発明を実施するための形態】
【００４０】
以下、本発明の実施の形態について図を参照しながら説明する。
【００４１】
図１は、本発明における光ディスクの記録方式を判別する光ディスク再生装置の構成を示すブロック図である。
【００４２】
図１に示す光ディスク再生装置１００は、トラッキング極性決定部１０１と、光ディスク１０２と、光ピックアップ部１０３と、プッシュプル信号生成部１０４と、サーボフィルタ１０９と、駆動部１１１とを備える。また、トラッキング極性決定部１０１は、２値化ウォブル信号生成部１０５と、特徴量測定部１０６と、判定部１０７と、極性決定部１０８とを備える。
【００４３】
光ディスク１０２は、グルーブ７０４およびランド７０３を有し、情報（データ）が記録されるグルーブ７０４のトラックに絶対アドレス情報を表すように周波数変調あるいは位相変調されたウォブリングが形成されている。また、光ディスク１０２は、オングルーブ方式で記録されていてもよく、イングルーブ方式で記録されていてもよい。光ディスク１０２がオングルーブ方式で記録されている場合には、情報（データ）が記録されるグルーブ７０４のトラックは、光の入射面から見て凸状の溝になっているトラックである。反対に、光ディスク１０２がイングルーブ方式で記録されている場合には、情報（データ）が記録されるグルーブ７０４のトラックは、光の入射面から見て凹状の溝になっているトラックである。
【００４４】
光ピックアップ部１０３は、光ディスク１０２に照射したレーザ光の反射光量を電圧情報に変換してプッシュプル信号生成部１０４に出力する。また、光ピックアップ部１０３は、駆動部１１１により制御される。
【００４５】
プッシュプル信号生成部１０４は、光ディスク１０２の反射光より生成されたプッシュプル信号を生成する。すなわち、プッシュプル信号生成部１０４は、光ピックアップ部１０３より入力された電圧情報からプッシュプル信号を生成し、生成したプッシュプル信号をトラッキング極性決定部１０１に出力する。ここで、プッシュプル信号とは、グルーブ中心からレーザスポット中心のずれ量を検出するために用いられる信号であり、光ディスク１０２の反射率のばらつき等を補償するトラッキング制御に用いられる信号である。
【００４６】
トラッキング極性決定部１０１は、プッシュプル信号生成部１０４より入力されたプッシュプル信号から、光ディスク１０２のトラッキング極性を決定する。トラッキング極性決定部１０１は、トラッキング極性の決定後、決定したトラッキング極性の情報とともにそのプッシュプル信号を、サーボフィルタ１０９に出力する。
【００４７】
具体的には、２値化ウォブル信号生成部１０５は、プッシュプル信号生成部１０４より入力されたプッシュプル信号からウォブル信号を生成し、生成したウォブル信号から２値化ウォブル信号を生成する。そして、２値化ウォブル信号生成部１０５は、生成した２値化ウォブル信号を特徴量測定部１０６に出力する。ここでウォブル信号とは、グルーブのウォブリング周期でプッシュプル信号が変化する信号である。
【００４８】
特徴量測定部１０６は、入力された２値化ウォブル信号の特徴量を測定し、測定した特徴量を判定部１０７に出力する。ここで、特徴量とは、例えば２値化ウォブル信号の周期、デューティ等である。
【００４９】
判定部１０７は、測定された特徴量が、光ディスク１０２の規格により定められる所定の特徴を示しているかを判定する。判定部１０７は、測定された特徴量が所定の特徴を示しているかを示す判定結果を、極性決定部１０８に出力する。
【００５０】
極性決定部１０８は、判定部１０７から入力された判定結果から、プッシュプル信号の極性を判別し、判別したプッシュプル信号の極性に基づいてトラッキング極性を決定する。また、極性決定部１０８は、プッシュプル信号生成部１０４より入力されたプッシュプル信号を、決定したトラッキング極性の情報とともにサーボフィルタ１０９に出力する。
【００５１】
サーボフィルタ１０９は、トラッキング極性決定部１０１により入力されたトラッキング極性の情報とプッシュプル信号とから駆動部１１１がトラッキング制御を行うための信号（フィードバック信号）を駆動部１１１に出力する。
【００５２】
駆動部１１１は、入力されたフィードバック信号に従って、光ピックアップ部１０３に対してトラッキング制御を行う。
【００５３】
以上のように光ディスク再生装置１００は構成される。
【００５４】
次に、光ディスク再生装置１００の特徴的な部分、すなわちトラッキング極性決定部１０１がトラッキング極性を決定する際の動作について説明する。なお、従来と同じ動作の部分については説明を省略する。
【００５５】
図２は、本発明におけるトラッキング極性決定部の動作について説明するためのフローチャートである。
【００５６】
まず、２値化ウォブル信号生成部１０５は、プッシュプル信号生成部１０４により光ディスク１０２の反射光から生成されたプッシュプル信号から２値化ウォブル信号を生成し（Ｓ１０１）、生成した２値化ウォブル信号を特徴量測定部１０６に出力する。
【００５７】
次に、特徴量測定部１０６は、入力された２値化ウォブル信号の特徴量を測定し（Ｓ１０２）、測定した特徴量を判定部１０７に出力する。
【００５８】
そして、判定部１０７は、測定された特徴量が、光ディスク１０２の規格により定められる所定の特徴を示しているかを判定し、測定された特徴量が所定の特徴を示しているかを示す判定結果を、極性決定部１０８に出力する。
【００５９】
次に、極性決定部１０８は、判定部１０７から入力された判定結果から、プッシュプル信号の極性を判別し（Ｓ１０３）、判別したプッシュプル信号の極性に基づいてトラッキング極性を決定する（Ｓ１０４）。
【００６０】
以上のようにしてトラッキング極性決定部１０１は、トラッキング極性を決定する。
【００６１】
以上のように、本発明では現在走査しているトラックの２値化ウォブル信号の測定を１回行うだけで光ディスク１０２の記録方式がオングルーブ方式かイングルーブ方式かを判別することができる。
【００６２】
（実施の形態１）
以下の実施の形態１で、２値化ウォブル信号の特徴量の具体例について説明する。なお、実施の形態１は、本発明における実施の形態の１つである。
【００６３】
図３は、実施の形態１における光ディスクの記録方式を判別する光ディスク再生装置の構成を示すブロック図である。
【００６４】
図３に示す光ディスク再生装置２００は、光ディスク１０２と、光ピックアップ部１０３と、プッシュプル信号生成部１０４と、サーボフィルタ１０９と、駆動部１１１と、トラッキング極性決定部２０１とを備える。また、トラッキング極性決定部２０１は、２値化ウォブル信号生成部１０５と、極性決定部１０８と、周期測定部２０６と、判定部２０７とを備える。なお、図１と同様の要素には同一の符号を付しており、詳細な説明は省略する。
【００６５】
なお、図３に示す光ディスク再生装置２００は、図１に示す光ディスク再生装置１００のトラッキング極性決定部１０１の構成を具現化したものである。具体的には、トラッキング極性決定部１０１における特徴量測定部１０６と判定部１０７とが、トラッキング極性決定部２０１において周期測定部２０６と判定部２０７とに具現化されている。
【００６６】
周期測定部２０６は、２値化ウォブル信号生成部１０５により入力された２値化ウォブル信号の周期を測定し、測定した周期を判定部２０７に出力する。ここで、２値化ウォブル信号の周期は、上述した２値化ウォブル信号の特徴量に相当する。
【００６７】
判定部２０７は、測定された周期が、光ディスク１０２の規格で決定される周期であるかどうかを判定する。そして、判定部２０７は、測定された周期が所定の特徴、すなわち光ディスク１０２の規格で決定される周期であるかを示す判定結果を、極性決定部１０８に出力する。
【００６８】
以上のように光ディスク再生装置２００は構成される。
【００６９】
次に、トラッキング極性決定部２０１がプッシュプル信号の極性を決定する方法、すなわち、光ディスク１０２の記録方式がオングルーブ方式かイングルーブ方式かを判別する方法について例を挙げて説明する。
【００７０】
図４Ａおよび図４Ｂは、２値化ウォブル信号の特徴量が所定の特徴量を示しているかを判定する方法を説明するための図である。
【００７１】
ここで、光ディスク１０２の記録方式がオングルーブ方式であるとして、図１５を用いて説明する。
【００７２】
図４Ａでは、図１５でピット７０５が形成されるグルーブ７０４のトラックに沿って、ビームスポットＡを走査させた際に取得できるウォブル信号４０１と、取得したウォブル信号４０１がしきい値４０２によって２値化されている２値化ウォブル信号４０３とが示されている。また、図４Ｂでは、図１５でランド７０３のトラックに沿ってビームスポットＢを走査させた際に取得できるウォブル信号４０４と、取得したウォブル信号４０４がしきい値４０５によって２値化されている２値化ウォブル信号４０６とが示されている。
【００７３】
図４Ａに示されるように、グルーブ７０４のトラックを走査するビームスポットＡから得られる２値化ウォブル信号４０３は、所定の周期を示し、例えば光ディスク１０２の規格で決定される周期４０７で立ち上がり、立ち下がりを繰り返している。ここでいう周期とは、図４Ａに示すような２値化ウォブル信号４０３の立ち上がり４１０から、次の立ち上がり４１０までの時間を示す。
【００７４】
一方、図４Ｂに示されるように、ランド７０３のトラックを走査するビームスポットＢから得られる２値化ウォブル信号４０６は、グルーブ７０４側の２値化ウォブル信号４０３とは異なり、様々な周期で立ち上がり、立ち下がりを繰り返している。
【００７５】
したがって、この特徴を利用することにより、現在走査しているトラックの２値化ウォブル信号の周期を測定した結果から、現在走査しているトラックがグルーブ７０４であるか、ランド７０３であるかを判別することができる。すなわち、現在走査しているトラックの２値化ウォブル信号の測定を１回行うだけで光ディスク１０２の記録方式がオングルーブ方式かイングルーブ方式かを判別することができる。
【００７６】
次に、光ディスク再生装置２００の特徴的な部分、すなわちトラッキング極性決定部２０１がトラッキング極性を決定する動作について説明する。なお、従来と同じ動作の部分については説明を省略する。
【００７７】
図５は、実施の形態１におけるトラッキング極性決定部の動作について説明するためのフローチャートである。
【００７８】
まず、２値化ウォブル信号生成部１０５は、プッシュプル信号生成部１０４により光ディスク１０２の反射光から生成されたプッシュプル信号から２値化ウォブル信号を生成し（Ｓ２０１）、生成した２値化ウォブル信号を周期測定部２０６に出力する。
【００７９】
次に、周期測定部２０６は、入力された２値化ウォブル信号の周期を測定し（Ｓ２０２）、測定した周期を判定部２０７に出力する。
【００８０】
そして、判定部２０７は、測定された周期が、光ディスク１０２の規格で決定される周期であるかどうかを判定する。そして、判定部２０７は、測定された周期が所定の特徴、すなわち光ディスク１０２の規格で決定される周期であるかを示す判定結果を、極性決定部１０８に出力する。
【００８１】
次に、極性決定部１０８は、判定部２０７から入力された判定結果から、プッシュプル信号の極性を判別し（Ｓ２０３）、判別したプッシュプル信号の極性に基づいてトラッキング極性を決定する（Ｓ２０４）。
【００８２】
以上のようにしてトラッキング極性決定部２０１は、トラッキング極性を決定する。
【００８３】
以上、実施の形態１によれば、現在走査しているトラックの２値化ウォブル信号の測定を１回行うだけで光ディスク１０２の記録方式がオングルーブ方式かイングルーブ方式かを判別することができる。それにより、光ディスクの記録方式を判別する時間の短縮が可能な光ディスク再生装置を実現することができる。
【００８４】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【００８５】
また、２値化ウォブル信号生成部１０５の前段に、ＢＰＦ（バンドパスフィルタ）による信号の帯域制限の処理を行ってもよい。その場合、ＢＰＦを通過した信号をもとに２値化ウォブル信号を生成する。それにより、より精度の高い２値化ウォブル信号を生成することが可能である。
【００８６】
（実施の形態２）
実施の形態２では、２値化ウォブル信号の特徴量の別の具体例について説明する。なお、実施の形態２は、本発明における実施の形態の１つである。
【００８７】
図６は、実施の形態２における光ディスクの記録方式を判別する光ディスク再生装置の構成を示すブロック図である。
【００８８】
図６に示す光ディスク再生装置３００は、光ディスク１０２と、光ピックアップ部１０３と、プッシュプル信号生成部１０４と、サーボフィルタ１０９と、駆動部１１１と、トラッキング極性決定部３０１とを備える。また、トラッキング極性決定部３０１は、２値化ウォブル信号生成部１０５と、極性決定部１０８と、デューティ測定部３０６と、判定部３０７とを備える。なお、図１および図３と同様の要素には同一の符号を付しており、詳細な説明は省略する。
【００８９】
なお、図６に示す光ディスク再生装置３００は、図１に示す光ディスク再生装置１００のトラッキング極性決定部１０１の構成を具現化したものである。具体的には、トラッキング極性決定部１０１における特徴量測定部１０６と判定部１０７とが、トラッキング極性決定部３０１においてデューティ測定部３０６と判定部３０７とに具現化されている。
【００９０】
デューティ測定部３０６は、２値化ウォブル信号生成部１０５により入力された２値化ウォブル信号のデューティを測定し、測定したデューティを判定部３０７に出力する。ここで、２値化ウォブル信号のデューティは、上述した２値化ウォブル信号の特徴量に相当し、所定の周期における２値化ウォブル信号がハイレベルの値である時間（Ｈ区間）と２値化ウォブル信号がローレベルの値である時間（Ｌ区間）との比である。
【００９１】
判定部３０７は、測定されたデューティが、光ディスク１０２の規格で決定されるデューティであるかどうかを判定する。そして、判定部３０７は、測定されたデューティが所定の特徴、すなわち光ディスク１０２の規格で決定されるデューティであるかを示す判定結果を、極性決定部１０８に出力する。
【００９２】
以上のように光ディスク再生装置３００は構成される。
【００９３】
次に、トラッキング極性決定部３０１がプッシュプル信号の極性を決定する方法、すなわち、光ディスク１０２の記録方式がオングルーブ方式かイングルーブ方式かを判別する方法について例を挙げて説明する。
【００９４】
図７Ａおよび図７Ｂは、２値化ウォブル信号の特徴量が所定の特徴量を示しているかを判定する方法を説明するための図である。
【００９５】
ここで、光ディスク１０２の記録方式がオングルーブ方式であるとして、図１５を用いて説明する。なお、図４Ａおよび図４Ｂと同様の要素には同一の符号を付している。
【００９６】
図７Ａでは、図４Ａと同様に、図１５でピット７０５が形成されるグルーブ７０４のトラックに沿って、ビームスポットＡを走査させた際に取得できるウォブル信号４０１と、取得したウォブル信号４０１がしきい値４０２によって２値化されている２値化ウォブル信号４０３とが示されている。図７Ｂでは、図４Ｂと同様に、図１５でランド７０３のトラックに沿ってビームスポットＢを走査させた際に取得できるウォブル信号４０４と、取得したウォブル信号４０４がしきい値４０５によって２値化されている２値化ウォブル信号４０６とが示されている。
【００９７】
図７Ａに示されるように、グルーブ７０４側のトラックを走査するビームスポットＡから得られる２値化ウォブル信号４０３は、所定のデューティを示し、例えば光ディスク１０２の規格で決定されるデューティになるよう、立ち上がりおよび立ち下がりを繰り返している。ここでいうデューティとは、図７Ａに示すような２値化ウォブル信号のＨ区間４０８とＬ区間４０９との比である。
【００９８】
一方、図７Ｂに示されるように、ランド７０３のトラックを走査するビームスポットＢから得られる２値化ウォブル信号４０６は、グルーブ７０４の２値化ウォブル信号４０３と異なり、様々なデューティで立ち上がりおよび立ち下がりを繰り返している。
【００９９】
したがって、この特徴を利用することにより、現在走査しているトラックの２値化ウォブル信号のデューティを測定した結果から、現在走査しているトラックがグルーブ７０４側であるか、ランド７０３側であるかを判別することができる。すなわち、所定の特徴量に基づいて光ディスク１０２の記録方式がオングルーブ方式かイングルーブ方式かを判別することができる。
【０１００】
次に、光ディスク再生装置３００の特徴的な部分、すなわちトラッキング極性決定部３０１がトラッキング極性を決定する動作について説明する。なお、従来と同じ動作の部分については説明を省略する。
【０１０１】
図８は、実施の形態２におけるトラッキング極性決定部の動作について説明するためのフローチャートである。
【０１０２】
まず、２値化ウォブル信号生成部１０５は、プッシュプル信号生成部１０４により光ディスク１０２の反射光から生成されたプッシュプル信号から２値化ウォブル信号を生成し（Ｓ３０１）、生成した２値化ウォブル信号をデューティ測定部３０６に出力する。
【０１０３】
次に、デューティ測定部３０６は、入力された２値化ウォブル信号の周期を測定し（Ｓ３０２）、測定した周期を判定部３０７に出力する。
【０１０４】
次に、判定部３０７は、測定されたデューティが、光ディスク１０２の規格で決定されるデューティであるかどうかを判定する。そして、判定部３０７は、測定されたデューティが所定の特徴、すなわち光ディスク１０２の規格で決定されるデューティであるかを示す判定結果を、極性決定部１０８に出力する。
【０１０５】
次に、極性決定部１０８は、判定部３０７から入力された判定結果から、プッシュプル信号の極性を判別し（Ｓ３０３）、判別したプッシュプル信号の極性に基づいてトラッキング極性を決定する（Ｓ３０４）。
【０１０６】
以上のようにしてトラッキング極性決定部３０１は、トラッキング極性を決定する。
【０１０７】
以上、実施の形態２によれば、現在走査しているトラックの２値化ウォブル信号の測定を１回行うだけで光ディスク１０２の記録方式がオングルーブ方式かイングルーブ方式かを判別することができる。それにより、光ディスクの記録方式を判別する時間の短縮が可能な光ディスク再生装置を実現することができる。
【０１０８】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【０１０９】
また、２値化ウォブル信号生成部１０５の前段に、ＢＰＦ（バンドパスフィルタ）による信号の帯域制限の処理を行ってもよい。その場合、ＢＰＦを通過した信号をもとに２値化ウォブル信号を生成する。それにより、より精度の高い２値化ウォブル信号を生成することが可能である。
【０１１０】
（実施の形態３）
実施の形態３では、２値化ウォブル信号の特徴量のさらに別の具体例について説明する。なお、実施の形態３は、本発明における実施の形態の１つである。
【０１１１】
図９は、実施の形態３における光ディスクの記録方式を判別する光ディスク再生装置の構成を示すブロック図である。
【０１１２】
図９に示す光ディスク再生装置５００は、光ディスク１０２と、光ピックアップ部１０３と、プッシュプル信号生成部１０４と、サーボフィルタ１０９と、駆動部１１１と、トラッキング極性決定部５０１とを備える。また、トラッキング極性決定部５０１は、２値化ウォブル信号生成部１０５と、極性決定部１０８と、最長・最短時間測定部５０６と、判定部５０７とを備える。なお、図１、図３および図６と同様の要素には同一の符号を付しており、詳細な説明は省略する。
【０１１３】
なお、図９に示す光ディスク再生装置５００は、図１に示す光ディスク再生装置１００のトラッキング極性決定部１０１の構成を具現化したものである。具体的には、トラッキング極性決定部１０１における特徴量測定部１０６と判定部１０７とが、トラッキング極性決定部５０１において最長・最短時間測定部５０６と判定部５０７とに具現化されている。
【０１１４】
最長・最短時間測定部５０６は、２値化ウォブル信号生成部１０５により入力された２値化ウォブル信号の所定時間内におけるハイレベルの値（またはローレベルの値）である時間の最長時間または最小時間を測定し、測定した最長時間または最小時間を判定部５０７に出力する。ここで、２値化ウォブル信号の最長時間または最小時間は、２値化ウォブル信号の特徴量に相当する。
【０１１５】
判定部５０７は、測定された最長時間または最小時間が、光ディスク１０２の規格で決定される所定の範囲にあるかどうかを判定する。そして、判定部５０７は、測定された最長時間または最小時間が所定の特徴、すなわち光ディスク１０２の規格で決定される所定の範囲にあるかを示す判定結果を、極性決定部１０８に出力する。
【０１１６】
以上のように光ディスク再生装置５００は構成される。
【０１１７】
次に、トラッキング極性決定部５０１がプッシュプル信号の極性を決定する方法、すなわち、光ディスク１０２の記録方式がオングルーブ方式かイングルーブ方式かを判別する方法について例を挙げて説明する。
【０１１８】
図１０Ａおよび図１０Ｂは、２値化ウォブル信号の特徴量が所定の特徴量を示しているかを判定する方法を説明するための図である。
【０１１９】
ここで、光ディスク１０２の記録方式がオングルーブ方式であるとして、図１５を用いて説明する。なお、図４Ａ、図４Ｂ、図７Ａおよび図７Ｂと同様の要素には同一の符号を付しており、説明を省略する。
【０１２０】
図１０Ａに示されるように、グルーブ７０４のトラックを走査するビームスポットＡから得られる２値化ウォブル信号４０３は、ハイレベルの値（またはローレベルの値）の最長時間および最短時間を、例えば光ディスク１０２の規格で決定される長さで繰り返す。
【０１２１】
一方、図１０Ｂに示されるように、ランド７０３のトラックを走査するビームスポットＢから得られる２値化ウォブル信号４０６は、上記のような所定の範囲内の最長時間および最短時間を示さず、様々な長さの時間を繰り返す。すなわち、グルーブ７０４側の２値化ウォブル信号４０３と異なり、２値化ウォブル信号がハイレベルの値である時間を示すＨ区間および２値化ウォブル信号がローレベルの値である時間を示すＬ区間の長さは様々な値をとる。
【０１２２】
したがって、この特徴を利用することにより、現在走査しているトラックの２値化ウォブル信号におけるハイレベルの値（ローレベルの値）の最長時間または最短時間を測定した結果から、現在走査しているトラックがグルーブ７０４側であるか、ランド７０３側であるかを判別することができる。すなわち、所定の特徴量に基づいて光ディスク１０２の記録方式がオングルーブ方式かイングルーブ方式かを判別することができる。
【０１２３】
なお、トラッキング極性決定部５０１がトラッキング極性を決定する動作については、図８と同様であるため、説明を省略する。
【０１２４】
以上、実施の形態３によれば、現在走査しているトラックの２値化ウォブル信号の測定を１回行うだけで光ディスク１０２の記録方式がオングルーブ方式かイングルーブ方式かを判別することができる。それにより、光ディスクの記録方式を判別する時間の短縮が可能な光ディスク再生装置を実現することができる。
【０１２５】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【０１２６】
また、２値化ウォブル信号生成部１０５の前段に、ＢＰＦ（バンドパスフィルタ）よる信号の帯域制限の処理を行ってもよい。その場合、ＢＰＦを通過した信号をもとに２値化ウォブル信号を生成する。それにより、より精度の高い２値化ウォブル信号を生成することが可能である。
【０１２７】
（実施の形態４）
実施の形態４では、２値化ウォブル信号の特徴量のさらに別の具体例について説明する。なお、実施の形態４は、本発明における実施の形態の１つである。
【０１２８】
図１１は、実施の形態４における光ディスクの記録方式を判別する光ディスク再生装置の構成を示すブロック図である。
【０１２９】
図１１に示す光ディスク再生装置６００は、光ディスク１０２と、光ピックアップ部１０３と、プッシュプル信号生成部１０４と、サーボフィルタ１０９と、駆動部１１１と、トラッキング極性決定部６０１とを備える。また、トラッキング極性決定部６０１は、２値化ウォブル信号生成部１０５と、極性決定部１０８と、立ち上がり立ち下がりカウント部６０６と、判定部６０７とを備える。なお、図１、図３、図６および図９と同様の要素には同一の符号を付しており、詳細な説明は省略する。
【０１３０】
なお、図１１に示す光ディスク再生装置６００は、図１に示す光ディスク再生装置１００のトラッキング極性決定部１０１の構成を具現化したものである。具体的には、トラッキング極性決定部１０１における特徴量測定部１０６と判定部１０７とが、トラッキング極性決定部６０１において立ち上がり立ち下がりカウント部６０６と判定部６０７とに具現化されている。
【０１３１】
立ち上がり立ち下がりカウント部６０６は、２値化ウォブル信号生成部１０５により入力された２値化ウォブル信号の立ち上がりまたは立ち下がり回数を測定し、測定した立ち上がりまたは立ち下がり回数を判定部６０７に出力する。ここで、２値化ウォブル信号の立ち上がりまたは立ち下がり回数は、２値化ウォブル信号の特徴量に相当する。また、立ち上がりは、２値化ウォブル信号がハイレベルの値になる時を意味し、立ち下がりは、２値化ウォブル信号がローレベルの値になる時を意味する。
【０１３２】
判定部６０７は、測定された立ち上がりまたは立ち下がり回数が、光ディスク１０２の規格で決定される所定の範囲の値になるかどうかを判定する。そして、判定部５０７は、測定された立ち上がりまたは立ち下がり回数が所定の特徴、すなわち光ディスク１０２の規格で決定される所定の範囲の値になっているかを示す判定結果を、極性決定部１０８に出力する。
【０１３３】
以上のように光ディスク再生装置６００は構成される。
【０１３４】
次に、トラッキング極性決定部６０１がプッシュプル信号の極性を決定する方法、すなわち、光ディスク１０２の記録方式がオングルーブ方式かイングルーブ方式かを判別する方法について例を挙げて説明する。
【０１３５】
図１２Ａおよび図１２Ｂは、２値化ウォブル信号の特徴量が所定の特徴量を示しているかを判定する方法を説明するための図である。
【０１３６】
ここで、光ディスク１０２の記録方式がオングルーブ方式であるとして、図１５を用いて説明する。なお、図４Ａ、図４Ｂ、図７Ａ、図７Ｂ、図１０Ａおよび図１０Ｂと同様の要素には同一の符号を付しており、説明を省略する。
【０１３７】
図１２Ａに示されるように、グルーブ７０４のトラックを走査するビームスポットＡから得られる２値化ウォブル信号４０３は、所定の、例えば規格で決定される長さのＨ区間４０８およびＬ区間４０９を繰り返す。そのため、任意の時間内における立ち上がり４１０の回数および立ち下がり４１１の回数は、所定の範囲内の値となる。
【０１３８】
一方、図１２Ｂに示されるように、ランド７０３のトラックを走査するビームスポットＢから得られる２値化ウォブル信号４０６は、グルーブ７０４側の２値化ウォブル信号４０３と異なり、様々な長さのＨ区間４０８およびＬ区間４０９を繰り返す。そのため、任意の時間内における立ち上がり４１０の回数および立ち下がり４１１の回数は所定の範囲に収まらない。
【０１３９】
したがって、この特徴を利用することにより、現在走査しているトラックの２値化ウォブル信号における一定時間内の２値化ウォブル信号の立ち上がり回数および立ち下がり回数を測定した結果から、現在走査しているトラックがグルーブ７０４側であるか、ランド７０３側であるかを判別することができる。すなわち、現在走査しているトラックの２値化ウォブル信号の測定を１回行うだけで光ディスク１０２の記録方式がオングルーブ方式かイングルーブ方式かを判別することができる。
【０１４０】
なお、トラッキング極性決定部６０１がトラッキング極性を決定する動作については、図８と同様であるため、説明を省略する。
【０１４１】
以上、実施の形態４によれば、現在走査しているトラックにおける一定時間内の２値化ウォブル信号の立ち上がり回数および立ち下がり回数を測定することにより、２値化ウォブル信号の測定を１回行うだけで光ディスク１０２の記録方式がオングルーブ方式かイングルーブ方式かを判別することができる。それにより、光ディスクの記録方式を判別する時間の短縮が可能な光ディスク再生装置を実現することができる。
【０１４２】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【０１４３】
また、２値化ウォブル信号生成部１０５の前段に、ＢＰＦ（バンドパスフィルタ）よる信号の帯域制限の処理を行ってもよい。その場合、ＢＰＦを通過した信号をもとに２値化ウォブル信号を生成する。それにより、より精度の高い２値化ウォブル信号を生成することが可能である。
【０１４４】
（実施の形態５）
実施の形態５では、実施の形態１〜４に説明した２値化ウォブル信号の特徴量を選択的に測定できる場合の例について説明する。なお、実施の形態５は、本発明における実施の形態の１つである。
【０１４５】
図１３は、実施の形態５における光ディスクの記録方式を判別する光ディスク再生装置の構成を示すブロック図である。
【０１４６】
図１３に示す光ディスク再生装置７００は、光ディスク１０２と、光ピックアップ部１０３と、プッシュプル信号生成部１０４と、サーボフィルタ１０９と、駆動部１１１と、トラッキング極性決定部７０１とを備える。また、トラッキング極性決定部７０１は、２値化ウォブル信号生成部１０５と、極性決定部１０８と、周期測定部２０６と、デューティ測定部３０６と、最長・最短時間測定部５０６と、立ち上がり立ち下がりカウント部６０６と、判定部７０７とを備える。なお、図１、図３、図６、図９および図１１と同様の要素には同一の符号を付しており、詳細な説明は省略する。また、図１３に示す光ディスク再生装置７００は、図１に示す光ディスク再生装置１００のトラッキング極性決定部１０１の構成を具現化したものである。
【０１４７】
トラッキング極性決定部７０１では、２値化ウォブル信号生成部１０５により２値化ウォブル信号が、周期測定部２０６と、デューティ測定部３０６と、最長・最短時間測定部５０６と、立ち上がり立ち下がりカウント部６０６とにそれぞれ入力される。周期測定部２０６では、入力された２値化ウォブル信号の周期を測定し、デューティ測定部３０６では、入力された２値化ウォブル信号のデューティを測定する。最長・最短時間測定部５０６では、入力された２値化ウォブル信号の最長または最短時間を測定し、立ち上がり立ち下がりカウント部６０６では、入力された２値化ウォブル信号の立ち上がりまたは立ち下がり回数を測定する。
【０１４８】
判定部７０７は、測定した周期が所定の範囲にあるか、測定したデューティが所定の範囲にあるか、測定した最長または最短時間が所定の範囲にあるか、測定した立ち上がりまたは立ち下がり回数が所定の範囲にあるかを判別する。
【０１４９】
また、極性決定部１０８は、判定部１０７から入力された判別結果からプッシュプル信号の極性を判別し、判別したプッシュプル信号の極性に基づいてトラッキング極性を決定する。
【０１５０】
なお、図１３においては、２値化ウォブル信号から抽出する特徴量として４つを挙げている。しかし、これら特徴量のうち１つまたは２つ以上の特徴量が選択されて測定されてもよい。その場合、選択され組み合わされた特徴量により、プッシュプル信号の極性が判別され、判別されたプッシュプル信号の極性に基づいてトラッキング極性を決定する。
【０１５１】
以上のように光ディスク再生装置７００は構成される。
【０１５２】
なお、トラッキング極性決定部７０１がプッシュプル信号の極性を決定する方法および、トラッキング極性決定部７０１がトラッキング極性を決定する動作については、実施の形態１〜４で説明したものと同様であるため、説明を省略する。
【０１５３】
以上、実施の形態５によれば、２値化ウォブル信号の測定を１回行うだけで、光ディスク１０２の記録方式がオングルーブ方式かイングルーブ方式かを判別することができる。それにより、光ディスクの記録方式を判別する時間の短縮が可能な光ディスク再生装置を実現することができる。
【０１５４】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【０１５５】
また、２値化ウォブル信号生成部１０５の前段に、ＢＰＦ（バンドパスフィルタ）よる信号の帯域制限の処理を行ってもよい。その場合、ＢＰＦを通過した信号をもとに２値化ウォブル信号を生成する。それにより、より精度の高い２値化ウォブル信号を生成することが可能である。
【０１５６】
以上、本発明によれば、光ディスクの記録方式を判別する時間の短縮が可能な信号処理回路および光ディスク再生装置を実現することができる。
【０１５７】
以上、本発明の光ディスク再生装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【０１５８】
例えば、光ディスク再生装置は、光ディスクに情報（データ）を記録する記録手段を備えていても、本発明の趣旨は同じであり、本発明の範囲内に含まれる。
【産業上の利用可能性】
【０１５９】
本発明は、信号処理回路および光ディスク再生装置に利用可能であり、特に光ディスク再生装置における記録方式判別に利用可能である。
【符号の説明】
【０１６０】
１００、２００、３００、５００、６００、７００、９００  光ディスク再生装置
１０１、２０１、３０１、５０１、６０１、７０１、９０１  トラッキング極性決定部
１０２、９０２  光ディスク
１０３、９０３  光ピックアップ部
１０４、９０４  プッシュプル信号生成部
１０５  ２値化ウォブル信号生成部
１０６  特徴量測定部
１０７、２０７、３０７、５０７、６０７、７０７、９０７  判定部
１０８、９０８  極性決定部
１０９、９０９  サーボフィルタ
１１１、９１１  駆動部
２０６  周期測定部
３０６  デューティ測定部
４０１、４０４  ウォブル信号
４０２、４０５  しきい値
４０３、４０６  ２値化ウォブル信号
４０７  周期
４０８  Ｈ区間
４０９  Ｌ区間
４１０  立ち上がり
４１１  立ち下がり
５０６  最長・最短時間測定部
６０６  立ち上がり立ち下がりカウント部
７０３  ランド
７０４  グルーブ
７０５  ピット
９０５  ウォブル信号生成部
９０６  振幅測定部
【図１】
2010073450.tif 000003
【図２】
2010073450.tif 000004
【図３】
2010073450.tif 000005
【図４Ａ】
2010073450.tif 000006
【図４Ｂ】
2010073450.tif 000007
【図５】
2010073450.tif 000008
【図６】
2010073450.tif 000009
【図７Ａ】
2010073450.tif 000010
【図７Ｂ】
2010073450.tif 000011
【図８】
2010073450.tif 000012
【図９】
2010073450.tif 000013
【図１０Ａ】
2010073450.tif 000014
【図１０Ｂ】
2010073450.tif 000015
【図１１】
2010073450.tif 000016
【図１２Ａ】
2010073450.tif 000017
【図１２Ｂ】
2010073450.tif 000018
【図１３】
2010073450.tif 000019
【図１４】
2010073450.tif 000020
【図１５】
2010073450.tif 000021
【図１６】
2010073450.tif 000022
【手続補正書】
【提出日】平成23年2月9日(2011.2.9)
【手続補正１】
【補正対象書類名】明細書
【補正対象項目名】全文
【補正方法】変更
【補正の内容】
【発明の詳細な説明】
【技術分野】
【０００１】
本発明は、信号処理回路および光ディスク再生装置に関し、特に、光ディスクに記録された情報の再生を行う際のトラッキング制御極性を決定する信号処理回路および光ディスク再生装置に関するものである。
【背景技術】
【０００２】
ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｃ）と呼ばれる円盤状記録媒体は、ピットと呼ばれるくぼみ、または相変化膜の化学変化（以下、マークと称す。）を、内周から外周へ、スパイラル状に形成することにより情報を記録する。この円盤状記録媒体（以下、光ディスクと称す。）を使用する光ディスク再生装置は、光ディスクにレーザ光を照射し、反射したレーザ光の光量からピットまたはマークの有無を判断し、情報を再生する。
【０００３】
このピットまたはマークを読み取るために光ディスク再生装置は、光ディスクを所定の回転数で回転させる回転制御と、レーザの焦点位置を光ディスクの記録面上にて制御するためのフォーカス制御と、スパイラル状に記録されたピットにレーザ光を正しく走査させるためのトラッキング制御とを行う。
【０００４】
情報を示すマークまたはピットがスパイラル状に記録される光ディスクの記録方式としては、オングルーブ方式とイングルーブ方式との２通りの記録方式がある。
【０００５】
図１４は、オングルーブ方式およびイングルーブ方式の特徴を説明するための図である。図１４の上の図は、オングルーブ方式の特徴を説明するための図であり、図１４の下の図は、イングルーブ方式の特徴を説明するための図である。
【０００６】
オングルーブ方式とイングルーブ方式との両方式は、いずれも光ディスク上にスパイラル状に形成され、アドレス情報としてのウォブリングを有するグルーブ７０４に例えばピット７０５が形成されることにより情報（データ）が記録される。
【０００７】
ここで、グルーブ７０４は、光ディスク上に形成されている溝であり、情報（データ）が記録される。グルーブ７０４は、通常は（オングルーブ方式では）、レーザ光の入射する方向（以下、光の入射面と記載。）から見て凸の溝である。ランド７０３は、グルーブ７０４とグルーブ７０４との間の領域である。また、ウォブリングとは、グルーブをある一定の振幅、空間周波数でうねらせるようにグルーブに形成されるうねり（蛇行）のことである。
【０００８】
図１４に示すように、オングルーブ方式では、ピット７０５が形成されるグルーブ７０４が光の入射面に対して凸状となっているのに対し、イングルーブ方式ではピット７０５が形成されるグルーブ７０４が光の入射面に対して凹状になっている。このため、オングルーブ方式におけるグルーブ７０４上にトラッキング制御する場合と、イングルーブ方式におけるグルーブ７０４上にトラッキング制御する場合とでは、トラッキング制御を行うためのトラッキングエラー信号の極性が逆になる。
【０００９】
図１５は、オングルーブ方式で記録されたディスクにおけるトラックの走査を説明するための図である。図１５では、光ディスクがオングルーブ方式で記録されている場合に、レーザ光のビームスポットがトラックを走査するときの様子を示している。ビームスポットＡはオングルーブ方式のトラッキング極性でトラッキング制御した場合のビームスポットを、ビームスポットＢはイングルーブ方式のトラッキング極性でトラッキング制御した場合のビームスポットを示す。
【００１０】
図１５では、ビームスポットＡが、光の入射面に対して凸状となっているグルーブ７０４があるトラック上を走査した場合、グルーブ７０４にはピット７０５およびウォブリングが記録されているのでトラックのウォブリングおよび情報（データ）を正しく読み取ることができる。一方、ビームスポットＢが、ランド７０３があるトラックを走査した場合、ランド７０３にはピット７０５およびウォブリングが記録されていないのでトラックのウォブリングおよび情報（データ）を正しく取得することができない。
【００１１】
反対に、イングルーブ方式で記録されたディスクでは、ビームスポットＡが光の入射面に対して凸状となっているランド７０３のあるトラック上を走査しても、ピット７０５およびウォブリングが記録されていないので、トラックのウォブリングおよび情報（データ）を正しく取得することができない。しかし、ビームスポットＢが光の入射面に対して凹状となっているグルーブ７０４のあるトラックを走査すると、グルーブ７０４にはピット７０５およびウォブリングが記録されているのでトラックのウォブリングおよび情報（データ）を正しく読み取ることができる。
【００１２】
つまり、オングルーブ方式で記録されたディスクでは、制御極性をオングルーブ方式に合わせていた場合には、グルーブ７０４にはピット７０５が記録されているのでトラックのウォブリングおよび情報（データ）を正しく読み取ることができる。しかし、制御極性をイングルーブ方式に合わせていた場合には、そのトラックからトラックのウォブリングおよび情報（データ）を正しく取得することができない。
【００１３】
そのため、光ディスクを再生する際に、その光ディスクがオングルーブ方式であるか、イングルーブ方式であるかを判別し、その光ディスクの方式に合わせた制御極性を選択する必要がある。
【００１４】
ところで、これまで記録系光ディスクの主流であったＤＶＤ−ＲやＤＶＤ−ＲＷなどの光ディスクのメディアでは、規格においてオングルーブ方式で記録されることになっている。そのため、光ディスク再生装置としてはとくにトラッキング制御の極性を気にすることなくトラッキング制御を行うことが可能であった。
【００１５】
しかし、近年、ＢＤ−ＲのＬＴＨ（ＬＯＷ  ＴＯ  ＨＩＧＨ）ディスクと呼ばれる低価格の記録系ディスクが開発されている。そして、今後市場に広く販売されていくと予想されている。このＢＤ−ＲのＬＴＨディスクは、規格によってイングルーブ方式によって記録されることになっており、ＬＴＨディスクではない他のＢＤ−Ｒディスクを再生するときのトラッキング制御の極性を反転して再生制御を行う必要がある。そのため、光ディスク再生装置がトラッキング制御の極性を間違えて再生を行う場合には、光ディスク再生装置は、マークの形成されていないトラック上にトラッキング制御を行うこととなり、所望の情報（データ）を再生することができない。
【００１６】
それに対して、オングルーブ方式かイングルーブ方式かという記録方式の判別に関しての提案がある（例えば下記特許文献１）。以下、それについて説明する。
【００１７】
図１６は、光ディスクの記録方式を判別する光ディスク再生装置の従来構成を示すブロック図である。
【００１８】
図１６に示す光ディスク再生装置９００は、トラッキング極性決定部９０１と、光ディスク９０２と、光ピックアップ部９０３と、プッシュプル信号生成部９０４と、サーボフィルタ９０９と、駆動部９１１とを備える。また、トラッキング極性決定部９０１は、ウォブル信号生成部９０５と、振幅測定部９０６と、判定部９０７と、極性決定部９０８とを備える。
【００１９】
この光ディスク再生装置９００では、光ディスク９０２におけるオングルーブ側およびイングルーブ側それぞれにトラッキングを引き込み、それぞれの２値化ウォブル信号の振幅を測定する。その測定結果から、より振幅が大きく取得できる側を正しいトラックとして判別することによりトラッキング極性決定を行う。
【先行技術文献】
【特許文献】
【００２０】
【特許文献１】国際公開第２００７／０４０１７３号
【発明の概要】
【発明が解決しようとする課題】
【００２１】
しかしながら、特許文献１において提案されている方法では、光ディスク再生装置に装着された光ディスクがイングルーブ方式およびオングルーブ方式のどちらで記録されているかを判別するために、オングルーブ側およびイングルーブ側のそれぞれにおいて２値化ウォブル信号の振幅情報を取得する。すなわち、イングルーブ方式およびオングルーブ方式のどちらで記録されているかを判別するために、２値化ウォブル信号の測定を計２回行う必要がある。さらに、この２回の測定の際に、例えばオングルーブ側からイングルーブ側へ移動するためには、トラッキング制御をいったん停止し、再度イングルーブ側へトラッキング制御の引き込みを行う時間が必要となる。つまり、判別に時間がかかってしまう。
【００２２】
そこで、本発明は、上記課題を解決するためになされたもので、光ディスクの記録方式を判別する時間の短縮が可能な信号処理回路および光ディスク再生装置を提供することを目的とする。
【課題を解決するための手段】
【００２３】
上記目的を達成するために、本発明に係る信号処理回路は、グルーブトラックおよびランドトラックを有し、データが記録される前記グルーブトラックにアドレス情報を表すように周波数変調または位相変調されたウォブリングが形成されている光ディスクに対して、トラッキング制御を行う際の極性を決定するトラッキング極性決定部を備え、前記トラッキング極性決定部は、前記ウォブリングの形状に応じたウォブル信号を生成し、前記ウォブル信号の値が閾値を超えるか否かにより２値化ウォブル信号を生成する２値化ウォブル信号生成部と、前記２値化ウォブル信号生成部によって生成された２値化ウォブル信号の特徴量を測定する特徴量測定部と、前記特徴量測定部によって測定された前記２値化ウォブル信号の特徴量が、所定の特徴を有するか否かを判別する判別部と、前記判別部によって判別された結果によって前記極性を決定する極性決定部とを有することを特徴とする。
【００２４】
これにより、トラックに対して２値化ウォブル信号の測定を１回行うだけで、測定した２値化ウォブル信号の特徴量から光ディスクの記録方式がオングルーブ方式かイングルーブ方式かを判別することができる。それにより、光ディスクの記録方式を判別する時間の短縮が可能な信号処理回路を実現することができる。
【００２５】
また、好ましくは、前記特徴量測定部は、前記２値化ウォブル信号の特徴量として、前記２値化ウォブル信号の周期を測定することである。
【００２６】
ここで、前記特徴量測定部は、前記２値化ウォブル信号の特徴量として、所定の周期における前記２値化ウォブル信号がハイレベルの値である時間および前記所定の周期における前記２値化ウォブル信号がローレベルの値である時間の比である前記２値化ウォブル信号のデューティを測定してもよい。
【００２７】
また、前記特徴量測定部は、前記２値化ウォブル信号の特徴量として、前記２値化ウォブル信号の所定時間内におけるハイレベルの値である時間の最長時間または最短時間を測定してもよい。
【００２８】
また、前記特徴量測定部は、前記２値化ウォブル信号の特徴量として、前記２値化ウォブル信号の所定時間内におけるローレベルの値である時間の最長時間または最短時間を測定してもよい。
【００２９】
また、前記特徴量測定部は、前記２値化ウォブル信号の特徴量として、所定時間内における前記２値化ウォブル信号がハイレベルの値になる時である立ち上がりの回数または所定時間内における前記２値化ウォブル信号がローレベルの値になる時である立ち下がりの回数を測定してもよい。
【００３０】
また、上記目的を達成するために、本発明に係る光ディスク再生装置は、グルーブトラックおよびランドトラックを有し、データが記録される前記グルーブトラックにデジタル情報を表すように周波数変調または位相変調されたウォブリングが形成されている光ディスクから、トラッキング制御を行うために必要な情報を読み出す光ピックアップ部と、前記光ピックアップ部が読み出した情報から、トラッキング制御を行う際の極性を決定するトラッキング極性決定部と前記トラッキング極性決定部により決定されたトラッキング制御の極性で生成された制御信号により前記光ピックアップ部のトラッキング制御を行う駆動部とを備え、前記トラッキング極性決定部は、前記光ピックアップ部が読み出した情報から、前記ウォブリングの形状に応じたウォブル信号を生成し、前記ウォブル信号の値が閾値を超えるか否かにより２値化ウォブル信号を生成する２値化ウォブル信号生成部と、前記２値化ウォブル信号生成部によって生成された２値化ウォブル信号の特徴量を測定する特徴量測定部と、前記特徴量測定部によって測定された前記２値化ウォブル信号の特徴量が所定の特徴を有するか否かを判別する判別部と、前記判別部によって判別された結果によって前記極性を決定する極性決定部とを有することを特徴とする。
【００３１】
また、好ましくは、前記特徴量測定部は、前記２値化ウォブル信号の特徴量として、前記２値化ウォブル信号の周期を測定することである。
【００３２】
ここで、前記特徴量測定部は、前記２値化ウォブル信号の特徴量として、所定の周期における前記２値化ウォブル信号がハイレベルの値である時間および前記所定の周期における前記２値化ウォブル信号がローレベルの値である時間の比である前記２値化ウォブル信号のデューティを測定してもよい。
【００３３】
また、前記特徴量測定部は、前記２値化ウォブル信号の特徴量として、前記値化ウォブル信号の所定時間内におけるハイレベルの値である時間の最長時間または最短時間を測定してもよい。
【００３４】
また、前記特徴量測定部は、前記２値化ウォブル信号の特徴量として、前記値化ウォブル信号の所定時間内におけるローレベルの値である時間の最長時間または最短時間を測定してもよい。
【００３５】
また、前記特徴量測定部は、前記２値化ウォブル信号の特徴量として、所定時間内における前記２値化ウォブル信号がハイレベルの値になる時である立ち上がりの回数または所定時間内における前記２値化ウォブル信号がローレベルの値になる時である立ち下がりの回数を測定してもよい。
【００３６】
なお、本発明は、装置として実現するだけでなく、このような装置が備える処理手段を備える集積回路として実現したり、その装置を構成する処理手段をステップとする方法として実現したりすることもできる。
【発明の効果】
【００３７】
本発明によれば、光ディスクの記録方式を判別する時間の短縮が可能な信号処理回路および光ディスク再生装置を実現することができる。
【００３８】
具体的には、オングルーブ側、イングルーブ側のいずれかの一方の情報のみで記録方式の判別が実現でき、２値化ウォブル信号の測定を１回行うだけで極性を決定することができる。これにより、光ディスクがイングルーブ方式およびオングルーブ方式のどちらで記録されているかを判別する判別時間の短縮が可能となる。
【図面の簡単な説明】
【００３９】
【図１】図１は、本発明における光ディスクの記録方式を判別する光ディスク再生装置の構成を示すブロック図である。
【図２】図２は、本発明におけるトラッキング極性決定部の動作について説明するためのフローチャートである。
【図３】図３は、実施の形態１における光ディスクの記録方式を判別する光ディスク再生装置の構成を示すブロック図である。
【図４Ａ】図４Ａは、２値化ウォブル信号の特徴量が所定の特徴量を示しているかを判定する方法を説明するための図である。
【図４Ｂ】図４Ｂは、２値化ウォブル信号の特徴量が所定の特徴量を示しているかを判定する方法を説明するための図である。
【図５】図５は、実施の形態１におけるトラッキング極性決定部の動作について説明するためのフローチャートである。
【図６】図６は、実施の形態２における光ディスクの記録方式を判別する光ディスク再生装置の構成を示すブロック図である。
【図７Ａ】図７Ａは、２値化ウォブル信号の特徴量が所定の特徴量を示しているかを判定する方法を説明するための図である。
【図７Ｂ】図７Ｂは、２値化ウォブル信号の特徴量が所定の特徴量を示しているかを判定する方法を説明するための図である。
【図８】図８は、実施の形態２におけるトラッキング極性決定部の動作について説明するためのフローチャートである。
【図９】図９は、実施の形態３における光ディスクの記録方式を判別する光ディスク再生装置の構成を示すブロック図である。
【図１０Ａ】図１０Ａは、２値化ウォブル信号の特徴量が所定の特徴量を示しているかを判定する方法を説明するための図である。
【図１０Ｂ】図１０Ｂは、２値化ウォブル信号の特徴量が所定の特徴量を示しているかを判定する方法を説明するための図である。
【図１１】図１１は、実施の形態４における光ディスクの記録方式を判別する光ディスク再生装置の構成を示すブロック図である。
【図１２Ａ】図１２Ａは、２値化ウォブル信号の特徴量が所定の特徴量を示しているかを判定する方法を説明するための図である。
【図１２Ｂ】図１２Ｂは、２値化ウォブル信号の特徴量が所定の特徴量を示しているかを判定する方法を説明するための図である。
【図１３】図１３は、実施の形態５における光ディスクの記録方式を判別する光ディスク再生装置の構成を示すブロック図である。
【図１４】図１４は、オングルーブ方式およびイングルーブ方式の特徴を説明するための図である。
【図１５】図１５は、オングルーブ方式におけるトラックの走査を説明するための図である。
【図１６】図１６は、光ディスクの記録方式を判別する光ディスク再生装置の従来構成を示すブロック図である。
【発明を実施するための形態】
【００４０】
以下、本発明の実施の形態について図を参照しながら説明する。
【００４１】
図１は、本発明における光ディスクの記録方式を判別する光ディスク再生装置の構成を示すブロック図である。
【００４２】
図１に示す光ディスク再生装置１００は、トラッキング極性決定部１０１と、光ディスク１０２と、光ピックアップ部１０３と、プッシュプル信号生成部１０４と、サーボフィルタ１０９と、駆動部１１１とを備える。また、トラッキング極性決定部１０１は、２値化ウォブル信号生成部１０５と、特徴量測定部１０６と、判定部１０７と、極性決定部１０８とを備える。
【００４３】
光ディスク１０２は、グルーブ７０４およびランド７０３を有し、情報（データ）が記録されるグルーブ７０４のトラックに絶対アドレス情報を表すように周波数変調あるいは位相変調されたウォブリングが形成されている。また、光ディスク１０２は、オングルーブ方式で記録されていてもよく、イングルーブ方式で記録されていてもよい。光ディスク１０２がオングルーブ方式で記録されている場合には、情報（データ）が記録されるグルーブ７０４のトラックは、光の入射面から見て凸状の溝になっているトラックである。反対に、光ディスク１０２がイングルーブ方式で記録されている場合には、情報（データ）が記録されるグルーブ７０４のトラックは、光の入射面から見て凹状の溝になっているトラックである。
【００４４】
光ピックアップ部１０３は、光ディスク１０２に照射したレーザ光の反射光量を電圧情報に変換してプッシュプル信号生成部１０４に出力する。また、光ピックアップ部１０３は、駆動部１１１により制御される。
【００４５】
プッシュプル信号生成部１０４は、光ディスク１０２の反射光より生成されたプッシュプル信号を生成する。すなわち、プッシュプル信号生成部１０４は、光ピックアップ部１０３より入力された電圧情報からプッシュプル信号を生成し、生成したプッシュプル信号をトラッキング極性決定部１０１に出力する。ここで、プッシュプル信号とは、グルーブ中心からレーザスポット中心のずれ量を検出するために用いられる信号であり、光ディスク１０２の反射率のばらつき等を補償するトラッキング制御に用いられる信号である。
【００４６】
トラッキング極性決定部１０１は、プッシュプル信号生成部１０４より入力されたプッシュプル信号から、光ディスク１０２のトラッキング極性を決定する。トラッキング極性決定部１０１は、トラッキング極性の決定後、決定したトラッキング極性の情報とともにそのプッシュプル信号を、サーボフィルタ１０９に出力する。
【００４７】
具体的には、２値化ウォブル信号生成部１０５は、プッシュプル信号生成部１０４より入力されたプッシュプル信号からウォブル信号を生成し、生成したウォブル信号から２値化ウォブル信号を生成する。そして、２値化ウォブル信号生成部１０５は、生成した２値化ウォブル信号を特徴量測定部１０６に出力する。ここでウォブル信号とは、グルーブのウォブリング周期でプッシュプル信号が変化する信号である。
【００４８】
特徴量測定部１０６は、入力された２値化ウォブル信号の特徴量を測定し、測定した特徴量を判定部１０７に出力する。ここで、特徴量とは、例えば２値化ウォブル信号の周期、デューティ等である。
【００４９】
判定部１０７は、測定された特徴量が、光ディスク１０２の規格により定められる所定の特徴を示しているかを判定する。判定部１０７は、測定された特徴量が所定の特徴を示しているかを示す判定結果を、極性決定部１０８に出力する。
【００５０】
極性決定部１０８は、判定部１０７から入力された判定結果から、プッシュプル信号の極性を判別し、判別したプッシュプル信号の極性に基づいてトラッキング極性を決定する。また、極性決定部１０８は、プッシュプル信号生成部１０４より入力されたプッシュプル信号を、決定したトラッキング極性の情報とともにサーボフィルタ１０９に出力する。
【００５１】
サーボフィルタ１０９は、トラッキング極性決定部１０１により入力されたトラッキング極性の情報とプッシュプル信号とから駆動部１１１がトラッキング制御を行うための信号（フィードバック信号）を駆動部１１１に出力する。
【００５２】
駆動部１１１は、入力されたフィードバック信号に従って、光ピックアップ部１０３に対してトラッキング制御を行う。
【００５３】
以上のように光ディスク再生装置１００は構成される。
【００５４】
次に、光ディスク再生装置１００の特徴的な部分、すなわちトラッキング極性決定部１０１がトラッキング極性を決定する際の動作について説明する。なお、従来と同じ動作の部分については説明を省略する。
【００５５】
図２は、本発明におけるトラッキング極性決定部の動作について説明するためのフローチャートである。
【００５６】
まず、２値化ウォブル信号生成部１０５は、プッシュプル信号生成部１０４により光ディスク１０２の反射光から生成されたプッシュプル信号から２値化ウォブル信号を生成し（Ｓ１０１）、生成した２値化ウォブル信号を特徴量測定部１０６に出力する。
【００５７】
次に、特徴量測定部１０６は、入力された２値化ウォブル信号の特徴量を測定し（Ｓ１０２）、測定した特徴量を判定部１０７に出力する。
【００５８】
そして、判定部１０７は、測定された特徴量が、光ディスク１０２の規格により定められる所定の特徴を示しているかを判定し、測定された特徴量が所定の特徴を示しているかを示す判定結果を、極性決定部１０８に出力する。
【００５９】
次に、極性決定部１０８は、判定部１０７から入力された判定結果から、プッシュプル信号の極性を判別し（Ｓ１０３）、判別したプッシュプル信号の極性に基づいてトラッキング極性を決定する（Ｓ１０４）。
【００６０】
以上のようにしてトラッキング極性決定部１０１は、トラッキング極性を決定する。
【００６１】
以上のように、本発明では現在走査しているトラックの２値化ウォブル信号の測定を１回行うだけで光ディスク１０２の記録方式がオングルーブ方式かイングルーブ方式かを判別することができる。
【００６２】
（実施の形態１）
以下の実施の形態１で、２値化ウォブル信号の特徴量の具体例について説明する。なお、実施の形態１は、本発明における実施の形態の１つである。
【００６３】
図３は、実施の形態１における光ディスクの記録方式を判別する光ディスク再生装置の構成を示すブロック図である。
【００６４】
図３に示す光ディスク再生装置２００は、光ディスク１０２と、光ピックアップ部１０３と、プッシュプル信号生成部１０４と、サーボフィルタ１０９と、駆動部１１１と、トラッキング極性決定部２０１とを備える。また、トラッキング極性決定部２０１は、２値化ウォブル信号生成部１０５と、極性決定部１０８と、周期測定部２０６と、判定部２０７とを備える。なお、図１と同様の要素には同一の符号を付しており、詳細な説明は省略する。
【００６５】
なお、図３に示す光ディスク再生装置２００は、図１に示す光ディスク再生装置１００のトラッキング極性決定部１０１の構成を具現化したものである。具体的には、トラッキング極性決定部１０１における特徴量測定部１０６と判定部１０７とが、トラッキング極性決定部２０１において周期測定部２０６と判定部２０７とに具現化されている。
【００６６】
周期測定部２０６は、２値化ウォブル信号生成部１０５により入力された２値化ウォブル信号の周期を測定し、測定した周期を判定部２０７に出力する。ここで、２値化ウォブル信号の周期は、上述した２値化ウォブル信号の特徴量に相当する。
【００６７】
判定部２０７は、測定された周期が、光ディスク１０２の規格で決定される周期であるかどうかを判定する。そして、判定部２０７は、測定された周期が所定の特徴、すなわち光ディスク１０２の規格で決定される周期であるかを示す判定結果を、極性決定部１０８に出力する。
【００６８】
以上のように光ディスク再生装置２００は構成される。
【００６９】
次に、トラッキング極性決定部２０１がプッシュプル信号の極性を決定する方法、すなわち、光ディスク１０２の記録方式がオングルーブ方式かイングルーブ方式かを判別する方法について例を挙げて説明する。
【００７０】
図４Ａおよび図４Ｂは、２値化ウォブル信号の特徴量が所定の特徴量を示しているかを判定する方法を説明するための図である。
【００７１】
ここで、光ディスク１０２の記録方式がオングルーブ方式であるとして、図１５を用いて説明する。
【００７２】
図４Ａでは、図１５でピット７０５が形成されるグルーブ７０４のトラックに沿って、ビームスポットＡを走査させた際に取得できるウォブル信号４０１と、取得したウォブル信号４０１がしきい値４０２によって２値化されている２値化ウォブル信号４０３とが示されている。また、図４Ｂでは、図１５でランド７０３のトラックに沿ってビームスポットＢを走査させた際に取得できるウォブル信号４０４と、取得したウォブル信号４０４がしきい値４０５によって２値化されている２値化ウォブル信号４０６とが示されている。
【００７３】
図４Ａに示されるように、グルーブ７０４のトラックを走査するビームスポットＡから得られる２値化ウォブル信号４０３は、所定の周期を示し、例えば光ディスク１０２の規格で決定される周期４０７で立ち上がり、立ち下がりを繰り返している。ここでいう周期とは、図４Ａに示すような２値化ウォブル信号４０３の立ち上がり４１０から、次の立ち上がり４１０までの時間を示す。
【００７４】
一方、図４Ｂに示されるように、ランド７０３のトラックを走査するビームスポットＢから得られる２値化ウォブル信号４０６は、グルーブ７０４側の２値化ウォブル信号４０３とは異なり、様々な周期で立ち上がり、立ち下がりを繰り返している。
【００７５】
したがって、この特徴を利用することにより、現在走査しているトラックの２値化ウォブル信号の周期を測定した結果から、現在走査しているトラックがグルーブ７０４であるか、ランド７０３であるかを判別することができる。すなわち、現在走査しているトラックの２値化ウォブル信号の測定を１回行うだけで光ディスク１０２の記録方式がオングルーブ方式かイングルーブ方式かを判別することができる。
【００７６】
次に、光ディスク再生装置２００の特徴的な部分、すなわちトラッキング極性決定部２０１がトラッキング極性を決定する動作について説明する。なお、従来と同じ動作の部分については説明を省略する。
【００７７】
図５は、実施の形態１におけるトラッキング極性決定部の動作について説明するためのフローチャートである。
【００７８】
まず、２値化ウォブル信号生成部１０５は、プッシュプル信号生成部１０４により光ディスク１０２の反射光から生成されたプッシュプル信号から２値化ウォブル信号を生成し（Ｓ２０１）、生成した２値化ウォブル信号を周期測定部２０６に出力する。
【００７９】
次に、周期測定部２０６は、入力された２値化ウォブル信号の周期を測定し（Ｓ２０２）、測定した周期を判定部２０７に出力する。
【００８０】
そして、判定部２０７は、測定された周期が、光ディスク１０２の規格で決定される周期であるかどうかを判定する。そして、判定部２０７は、測定された周期が所定の特徴、すなわち光ディスク１０２の規格で決定される周期であるかを示す判定結果を、極性決定部１０８に出力する。
【００８１】
次に、極性決定部１０８は、判定部２０７から入力された判定結果から、プッシュプル信号の極性を判別し（Ｓ２０３）、判別したプッシュプル信号の極性に基づいてトラッキング極性を決定する（Ｓ２０４）。
【００８２】
以上のようにしてトラッキング極性決定部２０１は、トラッキング極性を決定する。
【００８３】
以上、実施の形態１によれば、現在走査しているトラックの２値化ウォブル信号の測定を１回行うだけで光ディスク１０２の記録方式がオングルーブ方式かイングルーブ方式かを判別することができる。それにより、光ディスクの記録方式を判別する時間の短縮が可能な光ディスク再生装置を実現することができる。
【００８４】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【００８５】
また、２値化ウォブル信号生成部１０５の前段に、ＢＰＦ（バンドパスフィルタ）による信号の帯域制限の処理を行ってもよい。その場合、ＢＰＦを通過した信号をもとに２値化ウォブル信号を生成する。それにより、より精度の高い２値化ウォブル信号を生成することが可能である。
【００８６】
（実施の形態２）
実施の形態２では、２値化ウォブル信号の特徴量の別の具体例について説明する。なお、実施の形態２は、本発明における実施の形態の１つである。
【００８７】
図６は、実施の形態２における光ディスクの記録方式を判別する光ディスク再生装置の構成を示すブロック図である。
【００８８】
図６に示す光ディスク再生装置３００は、光ディスク１０２と、光ピックアップ部１０３と、プッシュプル信号生成部１０４と、サーボフィルタ１０９と、駆動部１１１と、トラッキング極性決定部３０１とを備える。また、トラッキング極性決定部３０１は、２値化ウォブル信号生成部１０５と、極性決定部１０８と、デューティ測定部３０６と、判定部３０７とを備える。なお、図１および図３と同様の要素には同一の符号を付しており、詳細な説明は省略する。
【００８９】
なお、図６に示す光ディスク再生装置３００は、図１に示す光ディスク再生装置１００のトラッキング極性決定部１０１の構成を具現化したものである。具体的には、トラッキング極性決定部１０１における特徴量測定部１０６と判定部１０７とが、トラッキング極性決定部３０１においてデューティ測定部３０６と判定部３０７とに具現化されている。
【００９０】
デューティ測定部３０６は、２値化ウォブル信号生成部１０５により入力された２値化ウォブル信号のデューティを測定し、測定したデューティを判定部３０７に出力する。ここで、２値化ウォブル信号のデューティは、上述した２値化ウォブル信号の特徴量に相当し、所定の周期における２値化ウォブル信号がハイレベルの値である時間（Ｈ区間）と２値化ウォブル信号がローレベルの値である時間（Ｌ区間）との比である。
【００９１】
判定部３０７は、測定されたデューティが、光ディスク１０２の規格で決定されるデューティであるかどうかを判定する。そして、判定部３０７は、測定されたデューティが所定の特徴、すなわち光ディスク１０２の規格で決定されるデューティであるかを示す判定結果を、極性決定部１０８に出力する。
【００９２】
以上のように光ディスク再生装置３００は構成される。
【００９３】
次に、トラッキング極性決定部３０１がプッシュプル信号の極性を決定する方法、すなわち、光ディスク１０２の記録方式がオングルーブ方式かイングルーブ方式かを判別する方法について例を挙げて説明する。
【００９４】
図７Ａおよび図７Ｂは、２値化ウォブル信号の特徴量が所定の特徴量を示しているかを判定する方法を説明するための図である。
【００９５】
ここで、光ディスク１０２の記録方式がオングルーブ方式であるとして、図１５を用いて説明する。なお、図４Ａおよび図４Ｂと同様の要素には同一の符号を付している。
【００９６】
図７Ａでは、図４Ａと同様に、図１５でピット７０５が形成されるグルーブ７０４のトラックに沿って、ビームスポットＡを走査させた際に取得できるウォブル信号４０１と、取得したウォブル信号４０１がしきい値４０２によって２値化されている２値化ウォブル信号４０３とが示されている。図７Ｂでは、図４Ｂと同様に、図１５でランド７０３のトラックに沿ってビームスポットＢを走査させた際に取得できるウォブル信号４０４と、取得したウォブル信号４０４がしきい値４０５によって２値化されている２値化ウォブル信号４０６とが示されている。
【００９７】
図７Ａに示されるように、グルーブ７０４側のトラックを走査するビームスポットＡから得られる２値化ウォブル信号４０３は、所定のデューティを示し、例えば光ディスク１０２の規格で決定されるデューティになるよう、立ち上がりおよび立ち下がりを繰り返している。ここでいうデューティとは、図７Ａに示すような２値化ウォブル信号のＨ区間４０８とＬ区間４０９との比である。
【００９８】
一方、図７Ｂに示されるように、ランド７０３のトラックを走査するビームスポットＢから得られる２値化ウォブル信号４０６は、グルーブ７０４の２値化ウォブル信号４０３と異なり、様々なデューティで立ち上がりおよび立ち下がりを繰り返している。
【００９９】
したがって、この特徴を利用することにより、現在走査しているトラックの２値化ウォブル信号のデューティを測定した結果から、現在走査しているトラックがグルーブ７０４側であるか、ランド７０３側であるかを判別することができる。すなわち、所定の特徴量に基づいて光ディスク１０２の記録方式がオングルーブ方式かイングルーブ方式かを判別することができる。
【０１００】
次に、光ディスク再生装置３００の特徴的な部分、すなわちトラッキング極性決定部３０１がトラッキング極性を決定する動作について説明する。なお、従来と同じ動作の部分については説明を省略する。
【０１０１】
図８は、実施の形態２におけるトラッキング極性決定部の動作について説明するためのフローチャートである。
【０１０２】
まず、２値化ウォブル信号生成部１０５は、プッシュプル信号生成部１０４により光ディスク１０２の反射光から生成されたプッシュプル信号から２値化ウォブル信号を生成し（Ｓ３０１）、生成した２値化ウォブル信号をデューティ測定部３０６に出力する。
【０１０３】
次に、デューティ測定部３０６は、入力された２値化ウォブル信号の周期を測定し（Ｓ３０２）、測定した周期を判定部３０７に出力する。
【０１０４】
次に、判定部３０７は、測定されたデューティが、光ディスク１０２の規格で決定されるデューティであるかどうかを判定する。そして、判定部３０７は、測定されたデューティが所定の特徴、すなわち光ディスク１０２の規格で決定されるデューティであるかを示す判定結果を、極性決定部１０８に出力する。
【０１０５】
次に、極性決定部１０８は、判定部３０７から入力された判定結果から、プッシュプル信号の極性を判別し（Ｓ３０３）、判別したプッシュプル信号の極性に基づいてトラッキング極性を決定する（Ｓ３０４）。
【０１０６】
以上のようにしてトラッキング極性決定部３０１は、トラッキング極性を決定する。
【０１０７】
以上、実施の形態２によれば、現在走査しているトラックの２値化ウォブル信号の測定を１回行うだけで光ディスク１０２の記録方式がオングルーブ方式かイングルーブ方式かを判別することができる。それにより、光ディスクの記録方式を判別する時間の短縮が可能な光ディスク再生装置を実現することができる。
【０１０８】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【０１０９】
また、２値化ウォブル信号生成部１０５の前段に、ＢＰＦ（バンドパスフィルタ）による信号の帯域制限の処理を行ってもよい。その場合、ＢＰＦを通過した信号をもとに２値化ウォブル信号を生成する。それにより、より精度の高い２値化ウォブル信号を生成することが可能である。
【０１１０】
（実施の形態３）
実施の形態３では、２値化ウォブル信号の特徴量のさらに別の具体例について説明する。なお、実施の形態３は、本発明における実施の形態の１つである。
【０１１１】
図９は、実施の形態３における光ディスクの記録方式を判別する光ディスク再生装置の構成を示すブロック図である。
【０１１２】
図９に示す光ディスク再生装置５００は、光ディスク１０２と、光ピックアップ部１０３と、プッシュプル信号生成部１０４と、サーボフィルタ１０９と、駆動部１１１と、トラッキング極性決定部５０１とを備える。また、トラッキング極性決定部５０１は、２値化ウォブル信号生成部１０５と、極性決定部１０８と、最長・最短時間測定部５０６と、判定部５０７とを備える。なお、図１、図３および図６と同様の要素には同一の符号を付しており、詳細な説明は省略する。
【０１１３】
なお、図９に示す光ディスク再生装置５００は、図１に示す光ディスク再生装置１００のトラッキング極性決定部１０１の構成を具現化したものである。具体的には、トラッキング極性決定部１０１における特徴量測定部１０６と判定部１０７とが、トラッキング極性決定部５０１において最長・最短時間測定部５０６と判定部５０７とに具現化されている。
【０１１４】
最長・最短時間測定部５０６は、２値化ウォブル信号生成部１０５により入力された２値化ウォブル信号の所定時間内におけるハイレベルの値（またはローレベルの値）である時間の最長時間または最小時間を測定し、測定した最長時間または最小時間を判定部５０７に出力する。ここで、２値化ウォブル信号の最長時間または最小時間は、２値化ウォブル信号の特徴量に相当する。
【０１１５】
判定部５０７は、測定された最長時間または最小時間が、光ディスク１０２の規格で決定される所定の範囲にあるかどうかを判定する。そして、判定部５０７は、測定された最長時間または最小時間が所定の特徴、すなわち光ディスク１０２の規格で決定される所定の範囲にあるかを示す判定結果を、極性決定部１０８に出力する。
【０１１６】
以上のように光ディスク再生装置５００は構成される。
【０１１７】
次に、トラッキング極性決定部５０１がプッシュプル信号の極性を決定する方法、すなわち、光ディスク１０２の記録方式がオングルーブ方式かイングルーブ方式かを判別する方法について例を挙げて説明する。
【０１１８】
図１０Ａおよび図１０Ｂは、２値化ウォブル信号の特徴量が所定の特徴量を示しているかを判定する方法を説明するための図である。
【０１１９】
ここで、光ディスク１０２の記録方式がオングルーブ方式であるとして、図１５を用いて説明する。なお、図４Ａ、図４Ｂ、図７Ａおよび図７Ｂと同様の要素には同一の符号を付しており、説明を省略する。
【０１２０】
図１０Ａに示されるように、グルーブ７０４のトラックを走査するビームスポットＡから得られる２値化ウォブル信号４０３は、ハイレベルの値（またはローレベルの値）の最長時間および最短時間を、例えば光ディスク１０２の規格で決定される長さで繰り返す。
【０１２１】
一方、図１０Ｂに示されるように、ランド７０３のトラックを走査するビームスポットＢから得られる２値化ウォブル信号４０６は、上記のような所定の範囲内の最長時間および最短時間を示さず、様々な長さの時間を繰り返す。すなわち、グルーブ７０４側の２値化ウォブル信号４０３と異なり、２値化ウォブル信号がハイレベルの値である時間を示すＨ区間および２値化ウォブル信号がローレベルの値である時間を示すＬ区間の長さは様々な値をとる。
【０１２２】
したがって、この特徴を利用することにより、現在走査しているトラックの２値化ウォブル信号におけるハイレベルの値（ローレベルの値）の最長時間または最短時間を測定した結果から、現在走査しているトラックがグルーブ７０４側であるか、ランド７０３側であるかを判別することができる。すなわち、所定の特徴量に基づいて光ディスク１０２の記録方式がオングルーブ方式かイングルーブ方式かを判別することができる。
【０１２３】
なお、トラッキング極性決定部５０１がトラッキング極性を決定する動作については、図８と同様であるため、説明を省略する。
【０１２４】
以上、実施の形態３によれば、現在走査しているトラックの２値化ウォブル信号の測定を１回行うだけで光ディスク１０２の記録方式がオングルーブ方式かイングルーブ方式かを判別することができる。それにより、光ディスクの記録方式を判別する時間の短縮が可能な光ディスク再生装置を実現することができる。
【０１２５】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【０１２６】
また、２値化ウォブル信号生成部１０５の前段に、ＢＰＦ（バンドパスフィルタ）よる信号の帯域制限の処理を行ってもよい。その場合、ＢＰＦを通過した信号をもとに２値化ウォブル信号を生成する。それにより、より精度の高い２値化ウォブル信号を生成することが可能である。
【０１２７】
（実施の形態４）
実施の形態４では、２値化ウォブル信号の特徴量のさらに別の具体例について説明する。なお、実施の形態４は、本発明における実施の形態の１つである。
【０１２８】
図１１は、実施の形態４における光ディスクの記録方式を判別する光ディスク再生装置の構成を示すブロック図である。
【０１２９】
図１１に示す光ディスク再生装置６００は、光ディスク１０２と、光ピックアップ部１０３と、プッシュプル信号生成部１０４と、サーボフィルタ１０９と、駆動部１１１と、トラッキング極性決定部６０１とを備える。また、トラッキング極性決定部６０１は、２値化ウォブル信号生成部１０５と、極性決定部１０８と、立ち上がり立ち下がりカウント部６０６と、判定部６０７とを備える。なお、図１、図３、図６および図９と同様の要素には同一の符号を付しており、詳細な説明は省略する。
【０１３０】
なお、図１１に示す光ディスク再生装置６００は、図１に示す光ディスク再生装置１００のトラッキング極性決定部１０１の構成を具現化したものである。具体的には、トラッキング極性決定部１０１における特徴量測定部１０６と判定部１０７とが、トラッキング極性決定部６０１において立ち上がり立ち下がりカウント部６０６と判定部６０７とに具現化されている。
【０１３１】
立ち上がり立ち下がりカウント部６０６は、２値化ウォブル信号生成部１０５により入力された２値化ウォブル信号の立ち上がりまたは立ち下がり回数を測定し、測定した立ち上がりまたは立ち下がり回数を判定部６０７に出力する。ここで、２値化ウォブル信号の立ち上がりまたは立ち下がり回数は、２値化ウォブル信号の特徴量に相当する。また、立ち上がりは、２値化ウォブル信号がハイレベルの値になる時を意味し、立ち下がりは、２値化ウォブル信号がローレベルの値になる時を意味する。
【０１３２】
判定部６０７は、測定された立ち上がりまたは立ち下がり回数が、光ディスク１０２の規格で決定される所定の範囲の値になるかどうかを判定する。そして、判定部５０７は、測定された立ち上がりまたは立ち下がり回数が所定の特徴、すなわち光ディスク１０２の規格で決定される所定の範囲の値になっているかを示す判定結果を、極性決定部１０８に出力する。
【０１３３】
以上のように光ディスク再生装置６００は構成される。
【０１３４】
次に、トラッキング極性決定部６０１がプッシュプル信号の極性を決定する方法、すなわち、光ディスク１０２の記録方式がオングルーブ方式かイングルーブ方式かを判別する方法について例を挙げて説明する。
【０１３５】
図１２Ａおよび図１２Ｂは、２値化ウォブル信号の特徴量が所定の特徴量を示しているかを判定する方法を説明するための図である。
【０１３６】
ここで、光ディスク１０２の記録方式がオングルーブ方式であるとして、図１５を用いて説明する。なお、図４Ａ、図４Ｂ、図７Ａ、図７Ｂ、図１０Ａおよび図１０Ｂと同様の要素には同一の符号を付しており、説明を省略する。
【０１３７】
図１２Ａに示されるように、グルーブ７０４のトラックを走査するビームスポットＡから得られる２値化ウォブル信号４０３は、所定の、例えば規格で決定される長さのＨ区間４０８およびＬ区間４０９を繰り返す。そのため、任意の時間内における立ち上がり４１０の回数および立ち下がり４１１の回数は、所定の範囲内の値となる。
【０１３８】
一方、図１２Ｂに示されるように、ランド７０３のトラックを走査するビームスポットＢから得られる２値化ウォブル信号４０６は、グルーブ７０４側の２値化ウォブル信号４０３と異なり、様々な長さのＨ区間４０８およびＬ区間４０９を繰り返す。そのため、任意の時間内における立ち上がり４１０の回数および立ち下がり４１１の回数は所定の範囲に収まらない。
【０１３９】
したがって、この特徴を利用することにより、現在走査しているトラックの２値化ウォブル信号における一定時間内の２値化ウォブル信号の立ち上がり回数および立ち下がり回数を測定した結果から、現在走査しているトラックがグルーブ７０４側であるか、ランド７０３側であるかを判別することができる。すなわち、現在走査しているトラックの２値化ウォブル信号の測定を１回行うだけで光ディスク１０２の記録方式がオングルーブ方式かイングルーブ方式かを判別することができる。
【０１４０】
なお、トラッキング極性決定部６０１がトラッキング極性を決定する動作については、図８と同様であるため、説明を省略する。
【０１４１】
以上、実施の形態４によれば、現在走査しているトラックにおける一定時間内の２値化ウォブル信号の立ち上がり回数および立ち下がり回数を測定することにより、２値化ウォブル信号の測定を１回行うだけで光ディスク１０２の記録方式がオングルーブ方式かイングルーブ方式かを判別することができる。それにより、光ディスクの記録方式を判別する時間の短縮が可能な光ディスク再生装置を実現することができる。
【０１４２】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【０１４３】
また、２値化ウォブル信号生成部１０５の前段に、ＢＰＦ（バンドパスフィルタ）よる信号の帯域制限の処理を行ってもよい。その場合、ＢＰＦを通過した信号をもとに２値化ウォブル信号を生成する。それにより、より精度の高い２値化ウォブル信号を生成することが可能である。
【０１４４】
（実施の形態５）
実施の形態５では、実施の形態１〜４に説明した２値化ウォブル信号の特徴量を選択的に測定できる場合の例について説明する。なお、実施の形態５は、本発明における実施の形態の１つである。
【０１４５】
図１３は、実施の形態５における光ディスクの記録方式を判別する光ディスク再生装置の構成を示すブロック図である。
【０１４６】
図１３に示す光ディスク再生装置７００は、光ディスク１０２と、光ピックアップ部１０３と、プッシュプル信号生成部１０４と、サーボフィルタ１０９と、駆動部１１１と、トラッキング極性決定部７０１とを備える。また、トラッキング極性決定部７０１は、２値化ウォブル信号生成部１０５と、極性決定部１０８と、周期測定部２０６と、デューティ測定部３０６と、最長・最短時間測定部５０６と、立ち上がり立ち下がりカウント部６０６と、判定部７０７とを備える。なお、図１、図３、図６、図９および図１１と同様の要素には同一の符号を付しており、詳細な説明は省略する。また、図１３に示す光ディスク再生装置７００は、図１に示す光ディスク再生装置１００のトラッキング極性決定部１０１の構成を具現化したものである。
【０１４７】
トラッキング極性決定部７０１では、２値化ウォブル信号生成部１０５により２値化ウォブル信号が、周期測定部２０６と、デューティ測定部３０６と、最長・最短時間測定部５０６と、立ち上がり立ち下がりカウント部６０６とにそれぞれ入力される。周期測定部２０６では、入力された２値化ウォブル信号の周期を測定し、デューティ測定部３０６では、入力された２値化ウォブル信号のデューティを測定する。最長・最短時間測定部５０６では、入力された２値化ウォブル信号の最長または最短時間を測定し、立ち上がり立ち下がりカウント部６０６では、入力された２値化ウォブル信号の立ち上がりまたは立ち下がり回数を測定する。
【０１４８】
判定部７０７は、測定した周期が所定の範囲にあるか、測定したデューティが所定の範囲にあるか、測定した最長または最短時間が所定の範囲にあるか、測定した立ち上がりまたは立ち下がり回数が所定の範囲にあるかを判別する。
【０１４９】
また、極性決定部１０８は、判定部１０７から入力された判別結果からプッシュプル信号の極性を判別し、判別したプッシュプル信号の極性に基づいてトラッキング極性を決定する。
【０１５０】
なお、図１３においては、２値化ウォブル信号から抽出する特徴量として４つを挙げている。しかし、これら特徴量のうち１つまたは２つ以上の特徴量が選択されて測定されてもよい。その場合、選択され組み合わされた特徴量により、プッシュプル信号の極性が判別され、判別されたプッシュプル信号の極性に基づいてトラッキング極性を決定する。
【０１５１】
以上のように光ディスク再生装置７００は構成される。
【０１５２】
なお、トラッキング極性決定部７０１がプッシュプル信号の極性を決定する方法および、トラッキング極性決定部７０１がトラッキング極性を決定する動作については、実施の形態１〜４で説明したものと同様であるため、説明を省略する。
【０１５３】
以上、実施の形態５によれば、２値化ウォブル信号の測定を１回行うだけで、光ディスク１０２の記録方式がオングルーブ方式かイングルーブ方式かを判別することができる。それにより、光ディスクの記録方式を判別する時間の短縮が可能な光ディスク再生装置を実現することができる。
【０１５４】
なお、上記のプッシュプル信号は、光ピックアップ部１０３からの出力信号であるアナログ信号による生成であってもよいし、または光ピックアップ部１０３からの出力信号をＡＤＣ（アナログ・デジタル・コンバータ）でデジタル変換した後にデジタル演算によって生成するものであってもよい。
【０１５５】
また、２値化ウォブル信号生成部１０５の前段に、ＢＰＦ（バンドパスフィルタ）よる信号の帯域制限の処理を行ってもよい。その場合、ＢＰＦを通過した信号をもとに２値化ウォブル信号を生成する。それにより、より精度の高い２値化ウォブル信号を生成することが可能である。
【０１５６】
以上、本発明によれば、光ディスクの記録方式を判別する時間の短縮が可能な信号処理回路および光ディスク再生装置を実現することができる。
【０１５７】
以上、本発明の光ディスク再生装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【０１５８】
例えば、光ディスク再生装置は、光ディスクに情報（データ）を記録する記録手段を備えていても、本発明の趣旨は同じであり、本発明の範囲内に含まれる。
【産業上の利用可能性】
【０１５９】
本発明は、信号処理回路および光ディスク再生装置に利用可能であり、特に光ディスク再生装置における記録方式判別に利用可能である。
【符号の説明】
【０１６０】
１００、２００、３００、５００、６００、７００、９００  光ディスク再生装置
１０１、２０１、３０１、５０１、６０１、７０１、９０１  トラッキング極性決定部
１０２、９０２  光ディスク
１０３、９０３  光ピックアップ部
１０４、９０４  プッシュプル信号生成部
１０５  ２値化ウォブル信号生成部
１０６  特徴量測定部
１０７、２０７、３０７、５０７、６０７、７０７、９０７  判定部
１０８、９０８  極性決定部
１０９、９０９  サーボフィルタ
１１１、９１１  駆動部
２０６  周期測定部
３０６  デューティ測定部
４０１、４０４  ウォブル信号
４０２、４０５  しきい値
４０３、４０６  ２値化ウォブル信号
４０７  周期
４０８  Ｈ区間
４０９  Ｌ区間
４１０  立ち上がり
４１１  立ち下がり
５０６  最長・最短時間測定部
６０６  立ち上がり立ち下がりカウント部
７０３  ランド
７０４  グルーブ
７０５  ピット
９０５  ウォブル信号生成部
９０６  振幅測定部
【手続補正２】
【補正対象書類名】特許請求の範囲
【補正対象項目名】全文
【補正方法】変更
【補正の内容】
【特許請求の範囲】
【請求項１】
グルーブトラックおよびランドトラックを有し、データが記録される前記グルーブトラックにアドレス情報を表すように周波数変調または位相変調されたウォブリングが形成されている光ディスクに対して、トラッキング制御を行う際の極性を決定するトラッキング極性決定部を備え、
前記トラッキング極性決定部は、
前記ウォブリングの形状に応じたウォブル信号を生成し、前記ウォブル信号の値が閾値を超えるか否かにより２値化ウォブル信号を生成する２値化ウォブル信号生成部と、
前記２値化ウォブル信号生成部によって生成された２値化ウォブル信号の特徴量を測定する特徴量測定部と、
前記特徴量測定部によって測定された前記２値化ウォブル信号の特徴量が、所定の特徴を有するか否かを判別する判別部と、
前記判別部によって判別された結果によって前記極性を決定する極性決定部とを有する
ことを特徴とする信号処理回路。
【請求項２】
前記特徴量測定部は、
前記２値化ウォブル信号の特徴量として、前記２値化ウォブル信号の周期を測定する
ことを特徴とする請求項１に記載の信号処理回路。
【請求項３】
前記特徴量測定部は、
前記２値化ウォブル信号の特徴量として、所定の周期における前記２値化ウォブル信号がハイレベルの値である時間および前記所定の周期における前記２値化ウォブル信号がローレベルの値である時間の比である前記２値化ウォブル信号のデューティを測定する
ことを特徴とする請求項１に記載の信号処理回路。
【請求項４】
前記特徴量測定部は、
前記２値化ウォブル信号の特徴量として、前記２値化ウォブル信号の所定時間内におけるハイレベルの値である時間の最長時間または最短時間を測定する
ことを特徴とする請求項１に記載の信号処理回路。
【請求項５】
前記特徴量測定部は、
前記２値化ウォブル信号の特徴量として、前記２値化ウォブル信号の所定時間内におけるローレベルの値である時間の最長時間または最短時間を測定する
ことを特徴とする請求項１に記載の信号処理回路。
【請求項６】
前記特徴量測定部は、
前記２値化ウォブル信号の特徴量として、所定時間内における前記２値化ウォブル信号がハイレベルの値になる時である立ち上がりの回数または所定時間内における前記２値化ウォブル信号がローレベルの値になる時である立ち下がりの回数を測定する
ことを特徴とする請求項１に記載の信号処理回路。
【請求項７】
グルーブトラックおよびランドトラックを有し、データが記録される前記グルーブトラックにデジタル情報を表すように周波数変調または位相変調されたウォブリングが形成されている光ディスクから、トラッキング制御を行うために必要な情報を読み出す光ピックアップ部と、
前記光ピックアップ部が読み出した情報から、トラッキング制御を行う際の極性を決定するトラッキング極性決定部と、
前記トラッキング極性決定部により決定されたトラッキング制御の極性で生成された制御信号により前記光ピックアップ部のトラッキング制御を行う駆動部とを備え、
前記トラッキング極性決定部は、
前記光ピックアップ部が読み出した情報から、前記ウォブリングの形状に応じたウォブル信号を生成し、前記ウォブル信号の値が閾値を超えるか否かにより２値化ウォブル信号を生成する２値化ウォブル信号生成部と、
前記２値化ウォブル信号生成部によって生成された２値化ウォブル信号の特徴量を測定する特徴量測定部と、
前記特徴量測定部によって測定された前記２値化ウォブル信号の特徴量が所定の特徴を有するか否かを判別する判別部と、
前記判別部によって判別された結果によって前記極性を決定する極性決定部とを有する
ことを特徴とする光ディスク再生装置。
【請求項８】
前記特徴量測定部は、
前記２値化ウォブル信号の特徴量として、前記２値化ウォブル信号の周期を測定する
ことを特徴とする請求項７に記載の光ディスク再生装置。
【請求項９】
前記特徴量測定部は、前記２値化ウォブル信号の特徴量として、所定の周期における前記２値化ウォブル信号がハイレベルの値である時間および前記所定の周期における前記２値化ウォブル信号がローレベルの値である時間の比である前記２値化ウォブル信号のデューティを測定する
ことを特徴とする請求項７に記載の光ディスク再生装置。
【請求項１０】
前記特徴量測定部は、
前記２値化ウォブル信号の特徴量として、前記値化ウォブル信号の所定時間内におけるハイレベルの値である時間の最長時間または最短時間を測定する
ことを特徴とする請求項７に記載の光ディスク再生装置。
【請求項１１】
前記特徴量測定部は、
前記２値化ウォブル信号の特徴量として、前記値化ウォブル信号の所定時間内におけるローレベルの値である時間の最長時間または最短時間を測定する
ことを特徴とする請求項７に記載の光ディスク再生装置。
【請求項１２】
前記特徴量測定部は、
前記２値化ウォブル信号の特徴量として、所定時間内における前記２値化ウォブル信号がハイレベルの値になる時である立ち上がりの回数または所定時間内における前記２値化ウォブル信号がローレベルの値になる時である立ち下がりの回数を測定する
ことを特徴とする請求項７に記載の光ディスク再生装置。
【請求項１３】
グルーブトラックおよびランドトラックを有し、データが記録される前記グルーブトラックにアドレス情報を表すように周波数変調または位相変調されたウォブリングが形成されている光ディスクに対して、トラッキング制御を行う際の極性を決定するトラッキング極性決定部の信号処理方法であって、
ウォブリングの形状に応じたウォブル信号を生成し、前記ウォブル信号の値が閾値を超えるか否かにより２値化ウォブル信号を生成する２値化ウォブル信号生成ステップと、
前記２値化ウォブル信号生成ステップにおいて生成された２値化ウォブル信号の特徴量を測定する特徴量測定ステップと、
前記特徴量測定ステップにおいて測定された前記２値化ウォブル信号の特徴量が、所定の特徴を有するか否かを判別する判別ステップと、
前記判別ステップにおいて判別された結果によって前記極性を決定する極性決定ステップとを有する
ことを特徴とする信号処理方法。
【手続補正３】
【補正対象書類名】図面
【補正対象項目名】全図
【補正方法】変更
【補正の内容】
【図１】
2010073450.tif 000023
【図２】
2010073450.tif 000024
【図３】
2010073450.tif 000025
【図４Ａ】
2010073450.tif 000026
【図４Ｂ】
2010073450.tif 000027
【図５】
2010073450.tif 000028
【図６】
2010073450.tif 000029
【図７Ａ】
2010073450.tif 000030
【図７Ｂ】
2010073450.tif 000031
【図８】
2010073450.tif 000032
【図９】
2010073450.tif 000033
【図１０Ａ】
2010073450.tif 000034
【図１０Ｂ】
2010073450.tif 000035
【図１１】
2010073450.tif 000036
【図１２Ａ】
2010073450.tif 000037
【図１２Ｂ】
2010073450.tif 000038
【図１３】
2010073450.tif 000039
【図１４】
2010073450.tif 000040
【図１５】
2010073450.tif 000041
【図１６】
2010073450.tif 000042
【国際調査報告】
2010073450.tif 000043
2010073450.tif 000044